(57)【要約】【課題】不正にコンテンツ情報が取得されてしまうことを防止する。【解決手段】本発明に係るソース機器１００は、シンク機器１２０とリピータ機器１４０との間で認証が正常に終了したか否かを示す認証状態２５４の送信を要求する認証状態要求２５３をシンク機器１２０へ送信し、当該認証状態要求２５３に応じてシンク機器１２０から送信された認証状態２５４を取得する認証状態取得部２０５と、認証状態２５４によりシンク機器１２０とリピータ機器１４０との間で認証が正常に終了していないことが示される場合、シンク機器１２０がコンテンツ情報２５１を取得できないように制御するコンテンツ制御部２０６とを備える。【選択図】図６
2011193150.tif 000002
【特許請求の範囲】
【請求項１】
コンテンツ受信装置に第２ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続された中継機器に、第１ＨＤＭＩケーブルを介して接続され、映像及び音声の少なくとも一方を含むコンテンツ情報を、前記中継機器を介して前記コンテンツ受信装置へ送信するコンテンツ送信装置であって、
前記コンテンツ情報を暗号化することにより暗号化コンテンツ情報を生成する暗号化部と、
前記コンテンツ受信装置と前記中継機器との間で認証が正常に終了したか否かを示す第１認証状態情報の送信を要求する第１認証状態要求を前記コンテンツ受信装置へ送信し、当該第１認証状態要求に応じて前記コンテンツ受信装置から送信された前記第１認証状態情報を取得する認証状態取得部と、
前記第１認証状態情報により前記コンテンツ受信装置と前記中継機器との間で認証が正常に終了したことが示される場合、前記暗号化コンテンツ情報を前記第１ＨＤＭＩケーブルと、前記中継機器と、前記第２ＨＤＭＩケーブルとを介して、前記コンテンツ受信装置に送信するコンテンツ送信部と、
前記第１認証状態情報により前記コンテンツ受信装置と前記中継機器との間で認証が正常に終了していないことが示される場合、前記コンテンツ受信装置が前記コンテンツ情報を取得できないように制御するコンテンツ制御部とを備える
コンテンツ送信装置。
【請求項２】
前記認証状態取得部は、前記第１ＨＤＭＩケーブル及び前記第２ＨＤＭＩケーブルに含まれるＤＤＣ（Ｄｉｓｐｌａｙ  Ｄａｔａ  Ｃｈａｎｎｅｌ）ラインを用いて、前記第１認証状態要求を送信するとともに、前記第１認証状態情報を取得する
請求項１記載のコンテンツ送信装置。
【請求項３】
前記認証状態取得部は、前記第１ＨＤＭＩケーブル及び前記第２ＨＤＭＩケーブルに含まれるＣＥＣ（Ｃｏｎｓｕｍｅｒ  Ｅｌｅｃｔｒｏｎｉｃｓ  Ｃｏｎｔｒｏｌ）ラインを用いて、前記第１認証状態要求を送信するとともに、前記第１認証状態情報を取得する
請求項１記載のコンテンツ送信装置。
【請求項４】
前記認証状態取得部は、前記第１ＨＤＭＩケーブル及び前記第２ＨＤＭＩケーブルに含まれるＥｔｈｅｒｎｅｔライン又はＲｅｓｅｒｖｅｄラインを用いて、前記第１認証状態要求を送信するとともに、前記第１認証状態情報を取得する
請求項１記載のコンテンツ送信装置。
【請求項５】
前記コンテンツ制御部は、前記第１認証状態情報により前記コンテンツ受信装置と前記中継機器との間で認証が正常に終了していないことが示される場合、前記コンテンツ送信部による前記中継機器への前記暗号化コンテンツ情報の送信を停止する
請求項１記載のコンテンツ送信装置。
【請求項６】
前記コンテンツ制御部は、前記第１認証状態情報により前記コンテンツ受信装置と前記中継機器との間で認証が正常に終了していないことが示される場合、前記コンテンツ送信部から前記中継機器へ、前記暗号化コンテンツの代わりにフリーコンテンツを送信させる
請求項１記載のコンテンツ送信装置。
【請求項７】
前記コンテンツ制御部は、前記第１認証状態情報により前記コンテンツ受信装置と前記中継機器との間で認証が正常に終了していないことが示される場合、前記コンテンツ送信装置と前記中継機器との間のＨｏｔＰｌｕｇ状態を未接続状態にする
請求項１記載のコンテンツ送信装置。
【請求項８】
前記コンテンツ制御部は、前記第１認証状態情報により前記コンテンツ受信装置と前記中継機器との間で認証が正常に終了していないことが示される場合、前記コンテンツ受信装置へ前記暗号化コンテンツ情報が送信されないように制御することを、前記中継機器に要求するコンテンツ制御要求を前記中継機器へ送信する
請求項１記載のコンテンツ送信装置。
【請求項９】
前記コンテンツ制御要求は、前記中継機器から前記コンテンツ受信装置への前記暗号化コンテンツ情報の送信の停止するように前記中継機器に指示する要求である
請求項８記載のコンテンツ送信装置。
【請求項１０】
前記コンテンツ制御要求は、前記中継機器から前記コンテンツ受信装置へ、前記暗号化コンテンツの代わりにフリーコンテンツを送信するよう前記中継機器に指示する要求である
請求項８記載のコンテンツ送信装置。
【請求項１１】
前記コンテンツ制御要求は、前記中継機器と前記コンテンツ受信装置との間のＨｏｔＰｌｕｇ状態を未接続状態にするように前記中継機器に指示する要求である
請求項８記載のコンテンツ送信装置。
【請求項１２】
前記コンテンツ制御部は、前記第１認証状態情報により前記コンテンツ受信装置と前記中継機器との間で認証が正常に終了していないことが示される場合、ＥＤＩＤを用いて、前記コンテンツ受信装置が不正な機器であることを前記中継機器へ通知することにより、前記コンテンツ受信装置へ前記暗号化コンテンツ情報が送信されないように制御する
請求項１記載のコンテンツ送信装置。
【請求項１３】
前記中継機器は、
前記第１ＨＤＭＩケーブルを介して前記コンテンツ送信装置に接続される第１中継機器と、
第３ＨＤＭＩケーブルを介して前記第１中継機器に接続されるとともに、前記第２ＨＤＭＩケーブルを介して前記コンテンツ受信装置と接続される第２中継機器とを含み、
前記コンテンツ制御要求は、前記第２中継機器のＢｃａｐｓ又はＢｓｔａｔｕｓ情報を、当該第２中継機器に前記コンテンツ受信装置が接続されていないように更新するように当該第２中継機器に指示する要求である
請求項８記載のコンテンツ送信装置。
【請求項１４】
前記コンテンツ制御部は、前記第１認証状態情報により前記コンテンツ受信装置と前記中継機器との間で認証が正常に終了していないことが示される場合、前記暗号化部に、前記コンテンツ情報を、前記コンテンツ受信装置が復号できないように暗号化させる
請求項１記載のコンテンツ送信装置。
【請求項１５】
前記コンテンツ制御要求は、前記中継機器に、当該中継機器が保持する、不正機器の一覧を示すリストに、前記コンテンツ受信装置を追加するように指示する要求である
請求項８記載のコンテンツ送信装置。
【請求項１６】
前記コンテンツ制御部は、前記第１認証状態情報により前記コンテンツ受信装置と前記中継機器との間で認証が正常に終了していないことが示される場合、前記コンテンツ受信装置の電源をオフする
請求項１記載のコンテンツ送信装置。
【請求項１７】
前記コンテンツ送信装置は、さらに、
当該コンテンツ送信装置と前記中継機器との間で認証が正常に終了したか否かを示す第２認証状態情報を記憶する認証状態記憶部と、
他の機器から、当該他の機器へ前記第２認証状態情報の送信を要求する第２認証状態要求を受信した場合、前記第２認証状態情報を前記他の機器へ送信する認証状態送信部とを備える
請求項１記載のコンテンツ送信装置。
【請求項１８】
コンテンツ送信装置と第１ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続された中継機器に、第２ＨＤＭＩケーブルを介して接続されるコンテンツ受信装置であって、
前記コンテンツ送信装置から送信された、映像及び音声の少なくとも一方を含むコンテンツ情報が暗号化された暗号化コンテンツ情報を受信するコンテンツ受信部と、
当該コンテンツ受信装置と前記中継機器との間で認証が正常に終了したか否かを示す第１認証状態情報を記憶する認証状態記憶部と、
前記コンテンツ送信装置から送信された、前記コンテンツ送信装置へ前記第１認証状態情報の送信を要求する第１認証状態要求を受信した場合、前記第１認証状態情報を前記コンテンツ送信装置へ送信する認証状態送信部とを備える
コンテンツ受信装置。
【請求項１９】
前記認証状態送信部は、前記第１ＨＤＭＩケーブル及び前記第２ＨＤＭＩケーブルに含まれるＤＤＣ（Ｄｉｓｐｌａｙ  Ｄａｔａ  Ｃｈａｎｎｅｌ）ラインを用いて、前記第１認証状態要求を受信するとともに、前記第１認証状態情報を送信する
請求項１８記載のコンテンツ受信装置。
【請求項２０】
前記認証状態送信部は、前記第１ＨＤＭＩケーブル及び前記第２ＨＤＭＩケーブルに含まれるＣＥＣ（Ｃｏｎｓｕｍｅｒ  Ｅｌｅｃｔｒｏｎｉｃｓ  Ｃｏｎｔｒｏｌ）ラインを用いて、前記第１認証状態要求を受信するとともに、前記第１認証状態情報を送信する
請求項１８記載のコンテンツ受信装置。
【請求項２１】
前記認証状態送信部は、前記第１ＨＤＭＩケーブル及び前記第２ＨＤＭＩケーブルに含まれるＥｔｈｅｒｎｅｔライン又はＲｅｓｅｒｖｅｄラインを用いて、前記第１認証状態要求を受信するとともに、前記第１認証状態情報を送信する
請求項１８記載のコンテンツ受信装置。
【請求項２２】
コンテンツ送信装置と第１ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続されるとともに、第２ＨＤＭＩケーブルを介してコンテンツ受信装置に接続され、前記コンテンツ送信装置により前記第１ＨＤＭＩケーブルを介して送信された、映像及び音声の少なくとも一方を含むコンテンツ情報を受信し、受信した前記コンテンツ情報を前記第２ＨＤＭＩケーブルを介して前記コンテンツ受信装置へ送信する中継機器であって、
前記コンテンツ受信装置へ前記暗号化コンテンツ情報が送信されないように制御することを当該中継機器に要求するコンテンツ制御要求を受信した場合、前記コンテンツ受信装置へ前記暗号化コンテンツ情報が送信されないように制御するコンテンツ制御部を備える
中継機器。
【請求項２３】
前記コンテンツ制御部は、前記コンテンツ制御要求を受信した場合、前記中継機器から前記コンテンツ受信装置への前記コンテンツ情報の送信の停止する
請求項２２記載の中継機器。
【請求項２４】
前記コンテンツ制御部は、前記コンテンツ制御要求を受信した場合、前記コンテンツ受信装置へ前記暗号化コンテンツの代わりにフリーコンテンツを送信する
請求項２２記載の中継機器。
【請求項２５】
前記コンテンツ制御部は、前記コンテンツ制御要求を受信した場合、前記コンテンツ受信装置と前記中継機器との間のＨｏｔＰｌｕｇ状態を未接続状態にする
請求項２２記載の中継機器。
【請求項２６】
前記コンテンツ制御部は、前記中継機器が有するＢｃａｐｓ又はＢｓｔａｔｕｓ情報を、当該中継機器に前記コンテンツ受信装置が接続されていないように更新する
請求項２２記載の中継機器。
【請求項２７】
前記コンテンツ制御部は、前記コンテンツ制御要求を受信した場合、当該中継機器が保持する、不正機器の一覧を示すリストに、前記コンテンツ受信装置を追加する
請求項２２記載の中継機器。
【請求項２８】
コンテンツ受信装置と、
前記コンテンツ受信装置に第２ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して接続された中継機器と、
前記中継機器に第１ＨＤＭＩケーブルを介して接続され、映像及び音声の少なくとも一方を含むコンテンツ情報を、前記中継機器を介して前記コンテンツ受信装置へ送信するコンテンツ送信装置とを含むコンテンツ送信システムであって、
前記コンテンツ送信装置は、
前記コンテンツ情報を暗号化することにより暗号化コンテンツ情報を生成する暗号化部と、
前記コンテンツ受信装置と前記中継機器との間で認証が正常に終了したか否かを示す第１認証状態情報の送信を要求する第１認証状態要求を前記コンテンツ受信装置へ送信し、当該第１認証状態要求に応じて前記コンテンツ受信装置から送信された前記第１認証状態情報を取得する認証状態取得部と、
前記第１認証状態情報により前記コンテンツ受信装置と前記中継機器との間で認証が正常に終了したことが示される場合、前記暗号化コンテンツ情報を前記第１ＨＤＭＩケーブルと、前記中継機器と、前記第２ＨＤＭＩケーブルとを介して、前記コンテンツ受信装置に送信するコンテンツ送信部と、
前記第１認証状態情報により前記コンテンツ受信装置と前記中継機器との間で認証が正常に終了していないことが示される場合、前記コンテンツ受信装置が前記コンテンツ情報を取得できないように制御するコンテンツ制御部とを備え、
前記コンテンツ受信装置は、
前記コンテンツ送信装置から送信された、映像及び音声の少なくとも一方を含むコンテンツ情報が暗号化された暗号化コンテンツ情報を受信するコンテンツ受信部と、
当該コンテンツ受信装置と前記中継機器との間で認証が正常に終了したか否かを示す第１認証状態情報を記憶する認証状態記憶部と、
前記コンテンツ送信装置から送信された前記第１認証状態要求を受信した場合、前記認証状態記憶部に記憶されている前記第１認証状態情報を前記コンテンツ送信装置へ送信する認証状態送信部とを備える
コンテンツ送信システム。
【発明の詳細な説明】
【技術分野】
【０００１】
本発明は、コンテンツ送信装置、コンテンツ受信装置、中継機器及びコンテンツ送信システムに関し、特に、ＨＤＭＩケーブルを介して接続されるコンテンツ送信装置、コンテンツ受信装置及び中継機器に関する。
【背景技術】
【０００２】
近年、ＤＶＤプレーヤ等のソース機器からＡＶアンプ等のリピータ機器を経由し、ＴＶ受信機等のシンク機器へのビデオデータ及び音声情報の送信に、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）通信を用いた送信が行われている。ＨＤＭＩ通信において、ビデオデータ及び音声情報の著作権保護のためにＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ  ｓｙｓｔｅｍ）規格で定められた機器認証が行われている。
【０００３】
ＨＤＭＩとは、マルチメディアＡＶ設備に対する伝送インターフェースである。このＨＤＭＩは、デジタルテレビ、ＤＶＤレコーダ、セットトップボックス（Ｓｅｔ−ｔｏｐ  Ｂｏｘ）及びその他デジタルＡＶ製品など、多くのデジタルＡＶ家電の信号伝送に用いられている。また、ＨＤＭＩは、従来の映像と音声とを分離した伝送方式を改善し、統合信号で映像と音声とを同時に伝送するマルチメディアインターフェースである。
【０００４】
また、ＨＤＭＩは、非圧縮式の高解像度デジタルデータを伝送することで高密度のデジタル信号を効果的に伝送することができる。このＨＤＭＩの最大伝送速度は５Ｇｂｉｔ／ｓに達する。これにより、ＨＤＭＩは、出力ビデオ信号がＤＶＩ又はその他デジタル映像データである場合、及び同時に８つのチャンネルの音声信号を伝送するデジタル製品に必携のマルチメディア端子及びインターフェースである。
【０００５】
ＨＤＣＰ規格は、コンテンツを暗号化して送信するソース機器又はリピータ機器と、コンテンツを受信して復号するリピータ機器又はシンク機器との間におけるコンテンツの伝送を保護するための規格である。このＨＤＣＰ規格では、認証プロトコルを用いてコンテンツを送信する機器側がコンテンツを受信する機器への認証を行い、認証が成功した場合当該送信機器側が暗号化したコンテンツを送信する。
【０００６】
また、ＨＤＣＰ規格における機器認証は、ＩＩＣ（Ｉｎｔｅｒ−Ｉｎｔｅｇｒａｔｅｄ  Ｃｉｒｃｕｉｔ）規格に準拠したＤＤＣ（Ｄｉｓｐｌａｙ  Ｄａｔａ  Ｃｈａｎｎｅｌ）通信を用いて行われる。このように、コンテンツ送信機器側とコンテンツ受信機器側との間でＨＤＣＰ認証に成功した場合に、コンテンツが送受信されるようになっている。
【０００７】
また、各機器は、ＨＤＭＩ規格における相手機器情報となるＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報を、ＤＤＣ通信を用いて取得する。ＥＤＩＤ情報は、ＨＤＭＩが処理できる信号の種類についての機器情報、パネルの解像度などの情報、ピクセルクロック、水平有効期間、垂直有効期間、及び最大出力オーディオサンプリング周波数などの情報を含む。このようにして、各機器は、ＤＤＣ通信を用いて接続相手機器の情報を取り込むことが可能であると知られている。
【０００８】
例えば、このようなHDMIを用いた技術の一例として特許文献１記載の技術がある。
【先行技術文献】
【特許文献】
【０００９】
【特許文献１】特開２００９−１３４６４６号公報
【発明の概要】
【発明が解決しようとする課題】
【００１０】
しかしながら、従来のHDMI通信では、ソース機器とシンク機器とが、リピータ機器を介して接続された場合に、以下に示す課題がある。
【００１１】
HDMI通信では、HDCP認証は、HDMIケーブルを介して直接接続された機器間でしか行われない。よって、リピータ機器を介してソース機器とシンク機器とが接続された場合、ソース機器は、リピータ機器とシンク機器との間で認証が成功したか否かを把握できない。
【００１２】
これにより、例えば、認証を実行せずにシンク機器へコンテンツを送信する不正なリピータ機器、又は、認証が失敗した場合でもシンク機器へコンテンツを送信する不正なリピータ機器が存在した場合には、コンテンツが不正に送信されてしまうという問題が発生する。
【００１３】
そこで本発明は、不正にコンテンツ情報が取得されてしまうことを防止できるコンテンツ送信装置、コンテンツ受信装置及び中継機器を提供することを目的とする。
【課題を解決するための手段】
【００１４】
上記目的を達成するために、本発明の一形態に係るコンテンツ送信装置は、コンテンツ受信装置に第２ＨＤＭＩケーブルを介して接続された中継機器に、第１ＨＤＭＩケーブルを介して接続され、映像及び音声の少なくとも一方を含むコンテンツ情報を、前記中継機器を介して前記コンテンツ受信装置へ送信するコンテンツ送信装置であって、前記コンテンツ情報を暗号化することにより暗号化コンテンツ情報を生成する暗号化部と、前記コンテンツ受信装置と前記中継機器との間で認証が正常に終了したか否かを示す第１認証状態情報の送信を要求する第１認証状態要求を前記コンテンツ受信装置へ送信し、当該第１認証状態要求に応じて前記コンテンツ受信装置から送信された前記第１認証状態情報を取得する認証状態取得部と、前記第１認証状態情報により前記コンテンツ受信装置と前記中継機器との間で認証が正常に終了したことが示される場合、前記暗号化コンテンツ情報を前記第１ＨＤＭＩケーブルと、前記中継機器と、前記第２ＨＤＭＩケーブルとを介して、前記コンテンツ受信装置に送信するコンテンツ送信部と、前記第１認証状態情報により前記コンテンツ受信装置と前記中継機器との間で認証が正常に終了していないことが示される場合、前記コンテンツ受信装置が前記コンテンツ情報を取得できないように制御するコンテンツ制御部とを備える。
【発明の効果】
【００１５】
以上より、本発明は、不正にコンテンツ情報が取得されてしまうことを防止できるコンテンツ送信装置を提供できる。
【図面の簡単な説明】
【００１６】
【図１】本発明の実施の形態に係るコンテンツ送信システムの構成を示す図である。
【図２】本発明の実施の形態に係るソース機器のハードウェア構成を示す図である。
【図３】本発明の実施の形態に係るシンク機器のハードウェア構成を示す図である。
【図４】本発明の実施の形態に係るリピータ機器のハードウェア構成を示す図である。
【図５】本発明の実施の形態１に係るコンテンツ送信システムの構成を示す図である。
【図６】本発明の実施の形態１に係るソース機器のブロック図である。
【図７】本発明の実施の形態１に係るリピータ機器のブロック図である。
【図８】本発明の実施の形態１に係るシンク機器のブロック図である。
【図９】本発明の実施の形態１に係るコンテンツ送信処理のシーケンス図である。
【図１０】本発明の実施の形態１に係るコンテンツ送信処理のシーケンス図である。
【図１１】本発明の実施の形態１に係るソース機器のフローチャートである。
【図１２】本発明の実施の形態１に係るシンク機器のフローチャートである。
【図１３】本発明の実施の形態２に係るソース機器のブロック図である。
【図１４】本発明の実施の形態２に係るリピータ機器のブロック図である。
【図１５】本発明の実施の形態２に係るシンク機器のブロック図である。
【図１６】本発明の実施の形態２に係る認証状態要求処理及び認証状態送信処理のシーケンス図である。
【図１７Ａ】本発明の実施の形態２に係る認証状態要求の構成を示す図である。
【図１７Ｂ】本発明の実施の形態２に係る認証状態の構成を示す図である。
【図１８】本発明の実施の形態３に係るソース機器のブロック図である。
【図１９】本発明の実施の形態３に係るリピータ機器のブロック図である。
【図２０】本発明の実施の形態３に係るシンク機器のブロック図である。
【図２１】本発明の実施の形態３に係る認証状態要求処理及び認証状態送信処理のシーケンス図である。
【図２２】本発明の実施の形態４に係るソース機器のブロック図である。
【図２３】本発明の実施の形態４に係るリピータ機器のブロック図である。
【図２４】本発明の実施の形態４に係るシンク機器のブロック図である。
【図２５】本発明の実施の形態４に係る認証状態要求処理及び認証状態送信処理のシーケンス図である。
【図２６】本発明の実施の形態５に係るソース機器のブロック図である。
【図２７】本発明の実施の形態５に係るコンテンツ制御処理のシーケンス図である。
【図２８】本発明の実施の形態６に係るソース機器のブロック図である。
【図２９】本発明の実施の形態６に係るリピータ機器のブロック図である。
【図３０】本発明の実施の形態６に係るコンテンツ制御処理のシーケンス図である。
【図３１】本発明の実施の形態７に係るソース機器のブロック図である。
【図３２】本発明の実施の形態７に係るコンテンツ制御処理のシーケンス図である。
【図３３】本発明の実施の形態８に係るソース機器のブロック図である。
【図３４】本発明の実施の形態８に係るリピータ機器のブロック図である。
【図３５】本発明の実施の形態８に係るコンテンツ制御処理のシーケンス図である。
【図３６】本発明の実施の形態９に係るソース機器のブロック図である。
【図３７】本発明の実施の形態９に係るコンテンツ制御処理のシーケンス図である。
【図３８】本発明の実施の形態１０に係るソース機器のブロック図である。
【図３９】本発明の実施の形態１０に係るリピータ機器のブロック図である。
【図４０】本発明の実施の形態１０に係るコンテンツ制御処理のシーケンス図である。
【図４１】本発明の実施の形態１１に係るコンテンツ送信システムの構成を示す図である。
【図４２】本発明の実施の形態１１に係るシンク機器のブロック図である。
【図４３】本発明の実施の形態１１に係るリピータ機器のブロック図である。
【図４４】本発明の実施の形態１１に係るコンテンツ制御処理のシーケンス図である。
【図４５】本発明の実施の形態１２に係るソース機器のブロック図である。
【図４６】本発明の実施の形態１２に係るシンク機器のブロック図である。
【図４７】本発明の実施の形態１２に係るコンテンツ制御処理のシーケンス図である。
【図４８】本発明の実施の形態１３に係るコンテンツ送信システムの構成を示す図である。
【図４９】本発明の実施の形態１３に係るソース機器のブロック図である。
【図５０】本発明の実施の形態１３に係るシンク機器のブロック図である。
【図５１】本発明の実施の形態１３に係るコンテンツ制御処理のシーケンス図である。
【図５２】本発明の実施の形態１４に係るソース機器のブロック図である。
【図５３】本発明の実施の形態１４に係るコンテンツ制御処理のシーケンス図である。
【図５４】本発明の実施の形態１５に係るソース機器のブロック図である。
【図５５】本発明の実施の形態１５に係るシンク機器のブロック図である。
【図５６】本発明の実施の形態１５に係るコンテンツ制御処理のシーケンス図である。
【図５７】本発明の実施の形態１６に係るソース機器のブロック図である。
【図５８】本発明の実施の形態１６に係るシンク機器のブロック図である。
【図５９】本発明の実施の形態１６に係るコンテンツ制御処理のシーケンス図である。
【発明を実施するための形態】
【００１７】
以下、本発明を実施するための形態について、図面を参照しながら説明する。なお、実施の形態において同じ符号を付した構成要素は同様の動作を行うので、再度の説明を省略する場合がある。
【００１８】
まず初めに、本発明の実施の形態に係るコンテンツ送信システム５０の構成例を説明する。
【００１９】
図１は、本発明の実施の形態に係るコンテンツ送信システム５０の構成例を示す図である。
【００２０】
図１に示すコンテンツ送信システム５０は、２個のソース機器１００と、複数のリピータ機器１４０と、シンク機器１２０とを含む。また、各機器は、ＨＤＭＩケーブル１６０を介して接続されている。
【００２１】
ソース機器１００は、例えば、ＤＶＤプレーヤ又はＢＤプレーヤであり、映像及び音声を含むコンテンツ情報を、ＨＤＭＩケーブル１６０を介して、接続されている機器（リピータ機器１４０）へ送信する。
【００２２】
シンク機器１２０は、例えば、テレビ受信機である。このシンク機器１２０は、映像及び音声を含むコンテンツ情報を受信し、受信したコンテンツ情報に所定の処理（表示等）を行う。
【００２３】
リピータ機器１４０は、例えば、ＡＶアンプである。このリピータ機器１４０は、ソース機器１００とシンク機器との間に接続され、ソース機器１００から送信された映像及び音声データを含むコンテンツ情報をシンク機器１２０へ中継する。
【００２４】
このようなコンテンツ送信システム５０では、ソース機器１００（ＤＶＤプレーヤ）で再生された映像情報及び音声情報は、リピータ機器１４０を介して、シンク機器１２０（テレビ受信機）に送信され、シンク機器１２０で出力（表示及び出音）される。同時に、リピータ機器１４０（ＡＶアンプ）は、ソース機器１００で再生された音声情報をスピーカ等から出力する。
【００２５】
また、ＨＤＭＩ通信では、双方向のコンテンツ情報の送受信が可能である。例えば、図１に示すように、シンク機器１２０から音声情報をリピータ機器１４０へ送信することが可能である。これにより、例えば、シンク機器１２０（テレビ受信機）が受信した放送波に対応する映像及び音声を当該シンク機器１２０で表示及び出音するとともに、リピータ機器１４０（ＡＶアンプ）のスピーカから出音することができる。
【００２６】
なお、各機器が備えるＨＤＭＩ送信端子及びＨＤＭＩ受信端子の数は任意でよい。
【００２７】
次に、ソース機器１００、シンク機器１２０及びリピータ機器１４０のハードウェア構成例を説明する。
【００２８】
図２は、本発明の実施の形態に係るソース機器１００のハードウェア構成例を示す図である。
【００２９】
図２に示すソース機器１００は、ＨＤＭＩ送信回路１０１と、ＣＰＵ１０２と、再生部１０３とを備える。
【００３０】
また、ＨＤＭＩケーブル１６０は、ＴＭＤＳライン１６１と、ＤＤＣライン１６２と、ＣＥＣライン１６３と、Ｐａｃｋｅｔ／Ｃｏｍｍａｎｄライン１６４とを含む。
【００３１】
再生部１０３は、記録メディア（ＤＶＤ等）に記録されているコンテンツ情報を読み出し、再生する。
【００３２】
ＨＤＭＩ送信回路１０１は、例えば、１チップの半導体集積回路（ＬＳＩ）である。このＨＤＭＩ送信回路１０１は、ＨＤＭＩケーブル１６０を介して、映像及び音声を含むコンテンツ情報を接続機器へ送信する。このＨＤＭＩ送信回路１０１は、コンテンツ情報Ｉ／Ｆ１０４と、ＴＭＤＳ送信部１０５と、ＡＲＣＩ／Ｆ１０６と、ＣＰＵＩ／Ｆ１０７と、ＨＤＣＰ制御部１０８と、ＤＤＣ制御部１０９と、ＤＤＣＩ／Ｆ１１０と、ＣＥＣ制御部１１１と、ＣＥＣＩ／Ｆ１１２と、Ｐａｃｋｅｔ／Ｃｏｍｍａｎｄ制御部１１３と、Ｐａｃｋｅｔ／ＣｏｍｍａｎｄＩ／Ｆ１１４とを備える。
【００３３】
ＨＤＣＰ制御部１０８は、コンテンツ情報Ｉ／Ｆ１０４を制御することにより、コンテンツ情報に対してＨＤＣＰ規格における暗号化を行う。
【００３４】
ＴＭＤＳ送信部１０５は、ＨＤＣＰ暗号化されたコンテンツ情報を、ＴＭＤＳライン１６１を介して接続機器へ送信する。
【００３５】
ＤＤＣ制御部１０９は、ＤＤＣライン１６２を介した接続機器とＤＤＣ通信を制御する。具体的には、ＤＤＣ制御部１０９は、ＤＤＣ通信を用いて、ＤＤＣＩ／Ｆ１１０を介して接続機器に対しＨＤＣＰ規格における機器認証を行う。
【００３６】
ＣＥＣ制御部１１１は、ＣＥＣライン１６３を用いたＣＥＣ処理を制御する。具体的には、ＣＥＣ制御部１１１は、ＣＥＣコマンドを、ＣＥＣＩ／Ｆ１１２を介して送受信する。
【００３７】
Ｐａｃｋｅｔ／Ｃｏｍｍａｎｄ制御部１１３は、Ｐａｃｋｅｔ／Ｃｏｍｍａｎｄライン１６４を用いてＰａｃｋｅｔ／Ｃｏｍｍａｎｄ処理を行う。具体的には、Ｐａｃｋｅｔ／Ｃｏｍｍａｎｄ制御部１１３は、Ｐａｃｋｅｔ／Ｃｏｍｍａｎｄを、Ｐａｃｋｅｔ／ＣｏｍｍａｎｄＩ／Ｆ１１４を介して送受信する。
【００３８】
ＡＲＣ（Ａｕｄｉｏ  Ｒｅｔｕｒｎ  Ｃｈａｎｎｅｌ）Ｉ／Ｆ１０６は、ＴＭＤＳライン１６１を介して送信された音声情報を受信する。
【００３９】
ＣＰＵ１０２は、プログラムを実行することにより、ＨＤＭＩ送信回路１０１及び再生部１０３を制御する。
【００４０】
ＣＰＵＩ／Ｆ１０７は、ＣＰＵ１０２とＨＤＭＩ送信回路１０１との間のインターフェースである。
【００４１】
図３は、本発明の実施の形態に係るシンク機器１２０のハードウェア構成例を示す図である。
【００４２】
図３に示すシンク機器１２０は、ＨＤＭＩ受信回路１２１と、ＣＰＵ１２２と、表示回路１２３とを備える。
【００４３】
ＨＤＭＩ受信回路１２１は、例えば、１チップの半導体集積回路（ＬＳＩ）である。このＨＤＭＩ受信回路１２１は、接続機器により送信された映像及び音声を含むコンテンツ情報を、ＴＭＤＳライン１６１を介して受信する。このＨＤＭＩ受信回路１２１は、コンテンツ情報Ｉ／Ｆ１２４と、ＴＭＤＳ受信部１２５と、ＡＲＣＩ／Ｆ１２６と、ＣＰＵＩ／Ｆ１２７と、ＨＤＣＰ制御部１２８と、ＤＤＣ制御部１２９と、ＤＤＣＩ／Ｆ１３０と、ＣＥＣ制御部１３１と、ＣＥＣＩ／Ｆ１３２と、Ｐａｃｋｅｔ／Ｃｏｍｍａｎｄ制御部１３３と、Ｐａｃｋｅｔ／ＣｏｍｍａｎｄＩ／Ｆ１３４とを備える。
【００４４】
ＴＭＤＳ受信部１２５はＴＭＤＳライン１６１を介してコンテンツ情報を受信する。
【００４５】
コンテンツ情報Ｉ／Ｆ１２４は、ＴＭＤＳ受信部１２５により受信されたコンテンツ情報を表示回路１２３へ出力する。
【００４６】
表示回路１２３は、コンテンツ情報に含まれる映像情報及び音声情報を表示及び出音する。
【００４７】
ＨＤＣＰ制御部１２８は、コンテンツ情報Ｉ／Ｆ１２４を制御することにより、音声情報に対してＨＤＣＰ規格における暗号化を行う。
【００４８】
ＡＲＣＩ／Ｆ１２６は、ＨＤＣＰ暗号化された音声情報を、ＴＭＤＳライン１６１を介して、接続機器へ送信する。
【００４９】
ＤＤＣ制御部１２９は、ＤＤＣライン１６２を介した接続機器とＤＤＣ通信を制御する。具体的には、ＤＤＣ制御部１２９は、ＤＤＣ通信を用いて、ＤＤＣＩ／Ｆ１３０を介して接続機器に対しＨＤＣＰ規格における機器認証を行う。
【００５０】
ＣＥＣ制御部１３１は、ＣＥＣライン１６３を用いたＣＥＣ処理を制御する。具体的には、ＣＥＣ制御部１３１は、ＣＥＣコマンドを、ＣＥＣＩ／Ｆ１３２を介して送受信する。
【００５１】
Ｐａｃｋｅｔ／Ｃｏｍｍａｎｄ制御部１３３は、Ｐａｃｋｅｔ／Ｃｏｍｍａｎｄライン１６４を用いてＰａｃｋｅｔ／Ｃｏｍｍａｎｄ処理を行う。具体的には、Ｐａｃｋｅｔ／Ｃｏｍｍａｎｄ制御部１３３は、Ｐａｃｋｅｔ／Ｃｏｍｍａｎｄを、Ｐａｃｋｅｔ／ＣｏｍｍａｎｄＩ／Ｆ１３４を介して送受信する。
【００５２】
ＣＰＵ１２２は、プログラムを実行することにより、ＨＤＭＩ受信回路１２１及び表示回路１２３を制御する。
【００５３】
ＣＰＵＩ／Ｆ１２７は、ＣＰＵ１２２とＨＤＭＩ受信回路１２１との間のインターフェースである。
【００５４】
図４は、本発明の実施の形態に係るリピータ機器１４０のハードウェア構成例を示す図である。
【００５５】
図４に示すリピータ機器１４０は、ＨＤＭＩ受信回路１２１と、ＨＤＭＩ送信回路１０１と、ＣＰＵ１４２と、出音部１４３とを備える。
【００５６】
ＨＤＭＩ受信回路１２１は、映像及び音声を含むコンテンツ情報を受信する。
【００５７】
出音部１４３は、ＨＤＭＩ受信回路１２１が受信した音声情報をスピーカ等から出音する。
【００５８】
ＨＤＭＩ送信回路１０１は、ＨＤＭＩ受信回路１２１が受信したコンテンツ情報を接続機器へ送信する。
【００５９】
なお、ＨＤＭＩ受信回路１２１及びＨＤＭＩ送信回路１０１の構成は、図２及び図３に示す構成と同様であり詳細な説明は省略する。
【００６０】
ＣＰＵ１４２は、プログラムを実行することにより、ＨＤＭＩ送信回路１０１、ＨＤＭＩ受信回路１２１及び出音部１４３を制御する。
【００６１】
なお、以下の説明において、映像及び音声のうち少なくとも一方を含むコンテンツ情報を送信する機器をコンテンツ送信装置と呼ぶ。また、映像及び音声のうち少なくとも一方を含むコンテンツ情報を受信する機器をコンテンツ受信装置と呼ぶ。また、映像及び音声のうち少なくとも一方を含むコンテンツ情報を、一の機器から受信し、当該コンテンツ情報を他の機器へ送信する機器、つまり、コンテンツ情報を中継する機器を中継機器と呼ぶ。
【００６２】
また、上述したように、例えば、シンク機器１２０は、映像情報及び音声情報の受信と、音声情報の送信とを行う。また、シンク機器１２０が複数のＨＤＭＩ端子を有する場合には、当該シンク機器はコンテンツ情報の中継を行うことが可能である。つまり、シンク機器１２０は、接続状態又は使用状態に応じてコンテンツ送信装置、コンテンツ受信装置及び中継機器として機能する。同様に、ソース機器１００及びリピータ機器１４０も、接続状態又は使用状態に応じてコンテンツ送信装置、コンテンツ受信装置及び中継機器として機能する。
【００６３】
なお、以下では、説明の明確化のため、特段の記載がない限り、ソース機器１００が本発明の実施の形態に係るコンテンツ送信装置の特徴のみを有し、リピータ機器１４０が本発明の実施の形態に係る中継機器の特徴のみを有し、シンク機器１２０が本発明の実施の形態に係るコンテンツ受信装置の特徴のみを有する例を説明するが、本発明はこれに限定されず、各機器は、本発明の実施の形態に係るコンテンツ送信装置、コンテンツ受信装置及び中継機器の特徴のうち複数を有してもよい。
【００６４】
また、以下の実施の形態は、ハードウェア及びソフトウェアの少なくとも一方を用いて構成されるが、ハードウェアを用いる構成の一部又は全てを、ソフトウェアを用いて構成可能であり、ソフトウェアを用いる構成の一部又は全てを、ハードウェアを用いて構成可能である。
【００６５】
（実施の形態１）
本発明の実施の形態１に係るコンテンツ送信装置は、中継機器とコンテンツ受信装置との間の機器認証の結果を取得し、中継機器とコンテンツ受信装置との間で機器認証が正常に行われていない場合には、コンテンツ受信装置がコンテンツ情報を取得できないように制御する。これにより、本発明の実施の形態１に係るコンテンツ送信装置は、不正にコンテンツ情報が取得されてしまうことを防止できる。
【００６６】
図５は、本発明の実施の形態１に係るコンテンツ送信システム５１の構成を示す図である。図５に示すコンテンツ送信システム５１は、ソース機器１００と、シンク機器１２０と、リピータ機器１４０とを含む。
【００６７】
ソース機器１００とリピータ機器１４０とは、ＨＤＭＩケーブル１６０Ａを介して接続されている。また、リピータ機器１４０とシンク機器１２０とは、ＨＤＭＩケーブル１６０Ｂを介して接続されている。
【００６８】
また、ソース機器１００から映像及び音声を含むコンテンツ情報がリピータ機器１４０を経由してシンク機器１２０へ送信される。
【００６９】
以下、ソース機器１００、リピータ機器１４０及びシンク機器１２０の構成を説明する。
【００７０】
図６は、本発明の実施の形態１に係るソース機器１００の構成を示すブロック図である。図６に示すソース機器１００は、再生部２０１と、暗号化部２０２と、コンテンツ送信部２０３と、認証部２０４と、認証状態取得部２０５と、コンテンツ制御部２０６とを備える。
【００７１】
再生部２０１は、図２に示す再生部１０３に相当し、記録メディア（ＤＶＤ等）に記録されているコンテンツ情報を読み出し、再生することにより、映像及び音声を含むコンテンツ情報２５１を生成する。
【００７２】
暗号化部２０２は、コンテンツ情報２５１に対してＨＤＣＰ規格における暗号化を行うことにより暗号化コンテンツ情報２５２を生成する。この暗号化部２０２の機能は、図２に示すコンテンツ情報Ｉ／Ｆ１０４及びＨＤＣＰ制御部１０８等により実現される。
【００７３】
コンテンツ送信部２０３は、暗号化コンテンツ情報２５２を、ＨＤＭＩケーブル１６０Ａを介してリピータ機器１４０へ送信する。このコンテンツ送信部２０３の機能は、図２に示すＴＭＤＳ送信部１０５等により実現される。
【００７４】
認証部２０４は、ＩＩＣ規格に準拠したＤＤＣ通信を用いて、ＨＤＣＰ規格における機器認証をリピータ機器１４０との間で行う。この認証部２０４の機能は図２に示すＤＤＣ制御部１０９及びＤＤＣＩ／Ｆ１１０等により実現される。
【００７５】
認証状態取得部２０５は、リピータ機器１４０とシンク機器１２０との間で機器認証が正常に終了したか否かを示す認証状態２５４の送信を要求する認証状態要求２５３をシンク機器１２０へ送信する。また、認証状態取得部２０５は、送信した認証状態要求２５３に応じてシンク機器１２０から送信された認証状態２５４を取得する。この認証状態取得部２０５の機能は、図２に示すＣＰＵ１０２がプログラムを実行すること等により実現される。
【００７６】
コンテンツ制御部２０６は、認証状態２５４によりリピータ機器１４０とシンク機器１２０との間で認証が正常に終了していないことが示される場合、シンク機器１２０がコンテンツ情報２５１を取得できないように制御する。このコンテンツ制御部２０６の機能は、図２に示すＣＰＵ１０２がプログラムを実行すること等により実現される。
【００７７】
図７は、本発明の実施の形態１に係るリピータ機器１４０の構成を示すブロック図である。図７に示すリピータ機器１４０は、コンテンツ受信部３０１と、復号部３０２と、出音部３０３と、認証部３０４と、暗号化部３０５と、コンテンツ送信部３０６と、認証部３０７とを備える。
【００７８】
コンテンツ受信部３０１は、ソース機器１００により送信された暗号化コンテンツ情報２５２を受信する。このコンテンツ受信部３０１の機能は、図４に示すＴＭＤＳ受信部１２５等により実現される。
【００７９】
復号部３０２は、コンテンツ受信部３０１により受信された暗号化コンテンツ情報２５２を復号することによりコンテンツ情報３５２を生成する。この復号部３０２の機能は、図４に示すコンテンツ情報Ｉ／Ｆ１２４及びＨＤＣＰ制御部１２８等により実現される。
【００８０】
出音部３０３は、図４に示す出音部１４３に相当し、コンテンツ情報３５２に含まれる音声情報をスピーカ等から出音する。
【００８１】
認証部３０４は、ＤＤＣ通信を用いて、ＨＤＣＰ規格における機器認証をソース機器１００との間で行う。この認証部３０４の機能は図４に示すＤＤＣ制御部１２９及びＤＤＣＩ／Ｆ１３０等により実現される。
【００８２】
暗号化部３０５は、コンテンツ情報３５２に対してＨＤＣＰ規格における暗号化を行うことにより暗号化コンテンツ情報３５３を生成する。この暗号化部３０５の機能は、図４に示すコンテンツ情報Ｉ／Ｆ１０４及びＨＤＣＰ制御部１０８等により実現される。
【００８３】
コンテンツ送信部３０６は、暗号化コンテンツ情報３５３を、ＨＤＭＩケーブル１６０Ｂを介してシンク機器１２０へ送信する。このコンテンツ送信部３０６の機能は、図４に示すＴＭＤＳ送信部１０５等により実現される。
【００８４】
認証部３０７は、ＤＤＣ通信を用いて、ＨＤＣＰ規格における機器認証をシンク機器１２０との間で行う。この認証部３０７の機能は図４に示すＤＤＣ制御部１０９及びＤＤＣＩ／Ｆ１１０等により実現される。
【００８５】
図８は、本発明の実施の形態１に係るシンク機器１２０の構成を示すブロック図である。図８に示すシンク機器１２０は、コンテンツ受信部４０１と、復号部４０２と、表示部４０３と、認証部４０４と、認証状態記憶部４０５と、認証状態送信部４０６とを備える。
【００８６】
コンテンツ受信部４０１は、リピータ機器１４０により送信された暗号化コンテンツ情報３５３を受信する。このコンテンツ受信部４０１の機能は、図３に示すＴＭＤＳ受信部１２５等により実現される。
【００８７】
復号部４０２は、コンテンツ受信部４０１により受信された暗号化コンテンツ情報３５３を復号することによりコンテンツ情報４５２を生成する。この復号部４０２の機能は、図３に示すコンテンツ情報Ｉ／Ｆ１２４及びＨＤＣＰ制御部１２８等により実現される。
【００８８】
表示部４０３は、図３に示す表示回路１２３に相当し、コンテンツ情報４５２に含まれる映像情報及び音声情報を表示及び出音する。
【００８９】
認証部４０４は、ＤＤＣ通信を用いて、ＨＤＣＰ規格における機器認証をリピータ機器１４０との間で行う。この認証部４０４の機能は図３に示すＤＤＣ制御部１２９及びＤＤＣＩ／Ｆ１３０等により実現される。
【００９０】
認証状態記憶部４０５は、認証部４０４による機器認証が正常に終了したか否かを示す認証状態４０７を記憶する。具体的には、認証状態４０７は、認証が正常に終了した状態として認証成功（正常）状態を示す。また、認証状態４０７は、認証が正常に終了していない状態として、認証失敗（エラー）状態又は認証停止（なし）状態を示す。
【００９１】
認証状態送信部４０６は、ソース機器１００から送信された認証状態要求２５３を受信した場合、認証状態記憶部４０５に記憶される認証状態４０７を認証状態２５４としてソース機器１００へ送信する。この認証状態送信部４０６の機能は、図３に示すＣＰＵ１２２がプログラムを実行すること等により実現される。
【００９２】
次に、本発明の実施の形態１に係るコンテンツ送信システム５１の動作を説明する。
【００９３】
まず、リピータ機器１４０とシンク機器１２０との間で機器認証が成功した場合のコンテンツ送信システム５１の動作を説明する。
【００９４】
図９は、リピータ機器１４０とシンク機器１２０との間で機器認証が成功した場合のコンテンツ送信処理のシーケンス図である。
【００９５】
まず、ソース機器１００とリピータ機器１４０との間で機器認証が行われる（Ｓ１０１）。ソース機器１００は、当該ソース機器１００が備える記憶部（図示せず）に当該機器認証の結果を記憶する（Ｓ１０２）。また、リピータ機器１４０は、当該リピータ機器１４０が備える記憶部（図示せず）に当該機器認証の結果を記憶する（Ｓ１０３）。また、ここでは、当該機器認証は成功したとする。
【００９６】
次に、リピータ機器１４０とシンク機器１２０との間で機器認証が行われる（Ｓ１０４）。リピータ機器１４０は、当該リピータ機器１４０が備える記憶部（図示せず）に当該機器認証の結果を記憶する（Ｓ１０５）。また、シンク機器１２０は、当該シンク機器１２０が備える認証状態記憶部４０５に当該機器認証の結果を示す認証状態４０７を記憶する（Ｓ１０６）。また、ここでは、当該機器認証は成功したとする。
【００９７】
なお、図９に示す、機器認証の順番、及びタイミングは一例であり、当該機器認証は、任意の順序及びタイミングで行ってよい。
【００９８】
また、図９では、ソース機器１００及びリピータ機器１４０も機器認証の結果を記憶しているが、本発明に係るコンテンツ送信装置及び中継機器としての機能に着目した場合、記憶しなくてもよい。
【００９９】
次に、ソース機器１００は、認証状態要求２５３をシンク機器１２０へ送信する（Ｓ１０７）。
【０１００】
認証状態要求２５３を受信したシンク機器１２０は、機器認証が正常に終了したことを示す認証状態４０７を認証状態２５４としてソース機器１００へ送信する（Ｓ１０８）。
【０１０１】
機器認証が正常に終了したことを示す認証状態２５４を受信したソース機器１００は、リピータ機器１４０へ暗号化コンテンツ情報２５２を送信する。また、リピータ機器１４０は、暗号化コンテンツ情報２５２を受信し、当該暗号化コンテンツ情報２５２に対応する暗号化コンテンツ情報３５３をシンク機器１２０へ送信する。
【０１０２】
次に、リピータ機器１４０とシンク機器１２０との間で機器認証が失敗した場合のコンテンツ送信システム５１の動作を説明する。
【０１０３】
図１０は、リピータ機器１４０とシンク機器１２０との間で機器認証が失敗した場合のコンテンツ送信処理のシーケンス図である。なお、図９と同様の処理については説明を省略する。
【０１０４】
図１０では、ステップＳ１０４において機器認証が失敗する。
【０１０５】
これにより、ステップＳ１０６において、シンク機器１２０は、機器認証が失敗したことを示す認証状態４０７を記憶する。
【０１０６】
また、ステップＳ１０８において、認証状態要求２５３を受信したシンク機器１２０は、機器認証が失敗したこと（正常に終了していないこと）を示す認証状態４０７を認証状態２５４としてソース機器１００へ送信する。
【０１０７】
機器認証が正常に終了していないことを示す認証状態２５４を受信したソース機器１００は、シンク機器１２０がコンテンツ情報２５１を取得できないように制御する（Ｓ１１０）。なお、このコンテンツ制御（Ｓ１１０）の具体例については、他の実施の形態において後述する。
【０１０８】
次に、各機器の処理の流れを説明する。
【０１０９】
図１１は、ソース機器１００の処理の流れを示すフローチャートである。
【０１１０】
まず、認証部２０４は、当該ソース機器１００に直接接続されている隣接機器（リピータ機器１４０）との間で機器認証が成功したか否かを判定する（Ｓ２０１）。
【０１１１】
隣接機器との間で機器認証が失敗した場合（Ｓ２０１でＮｏ）、隣接機器へはコンテンツ情報を送信せず、処理を終了する。
【０１１２】
一方、隣接機器との間で機器認証が成功した場合（Ｓ２０１でＹｅｓ）、次に、認証状態取得部２０５は、認証状態を確認する対象である対象機器が存在するか否かを判定する（Ｓ２０２）。
【０１１３】
例えば、図５に示す例では、対象機器としてシンク機器１２０が存在するので（Ｓ２０２でＹｅｓ）、次に、認証状態取得部２０５は、対象機器としてシンク機器１２０を選択する（Ｓ２０３）。
【０１１４】
次に、認証状態取得部２０５は、対象機器へ認証状態要求２５３を送信する（Ｓ２０４）。
【０１１５】
次に、認証状態取得部２０５は、認証状態要求２５３に応じて対象機器から送信された認証状態２５４を受信する（Ｓ２０５）。
【０１１６】
認証状態２５４により機器認証が正常に成功していないことが示される場合、又は、認証状態２５４を受信できない場合（Ｓ２０６でＮｏ）、コンテンツ制御部２０６は、シンク機器１２０がコンテンツ情報２５１を取得できないように制御する（Ｓ２０７）。
【０１１７】
一方、認証状態２５４により機器認証が正常に成功したことが示される場合（Ｓ２０６でＹｅｓ）、次に、認証状態取得部２０５は、他に対象機器が存在するか否かを判定する（Ｓ２０２）。
【０１１８】
図５に示す例では、他に対象機器が存在しないので（Ｓ２０２でＮｏ）、ソース機器１００は、リピータ機器１４０へ暗号化コンテンツ情報２５２を送信する（Ｓ２０８）。
【０１１９】
なお、対象機器が複数存在する場合には、ソース機器１００は、ステップＳ２０３〜Ｓ２０６の処理が対象機器ごとに行う。
【０１２０】
図１２は、シンク機器１２０の処理の流れを示すフローチャートである。
【０１２１】
まず、認証状態送信部４０６は、ソース機器１００により送信された認証状態要求２５３を受信する（Ｓ２１１）。
【０１２２】
次に、認証状態送信部４０６は、認証状態記憶部４０５に記憶されている認証状態４０７を認証状態２５４としてソース機器１００へ送信する（Ｓ２１２）。
【０１２３】
以上により、本発明の実施の形態１に係るコンテンツ送信装置は、中継機器とコンテンツ受信装置との間の機器認証の結果を示す認証状態２５４を取得する。さらに、コンテンツ送信装置は、中継機器とコンテンツ受信装置との間で機器認証が正常に行われていない場合には、コンテンツ受信装置がコンテンツ情報を取得できないように制御する。これにより、本発明の実施の形態１に係るコンテンツ送信装置は、不正にコンテンツ情報が取得されてしまうことを防止できる。
【０１２４】
（実施の形態２）
以下の実施の形態２〜４では、上述した認証状態取得部２０５及び認証状態送信部４０６の具体例について説明する。
【０１２５】
本発明の実施の形態２に係るコンテンツ送信装置は、ＤＤＣ通信を用いて、認証状態要求２５３を送信するとともに、認証状態２５４を取得する。
【０１２６】
図１３は、本発明の実施の形態２に係るソース機器１００Ａの構成を示す図である。
【０１２７】
図１３に示すソース機器１００Ａは、図６に示すソース機器１００の構成に加え、さらに、ＤＤＣ通信部２０７と、ＣＥＣ通信部２０８と、Ｐａｃｋｅｔ／Ｃｏｍｍａｎｄ通信部２０９とを備える。また、ソース機器１００Ａは、認証状態取得部２０５の代わりに認証状態取得部２０５Ａを備える。
【０１２８】
ＤＤＣ通信部２０７は、ＤＤＣライン１６２を用いたＤＤＣ通信を行う。このＤＤＣ通信部２０７の機能は、図２に示すＤＤＣ制御部１０９及びＤＤＣＩ／Ｆ１１０等により実現される。
【０１２９】
ＣＥＣ通信部２０８は、ＣＥＣライン１６３を用いた通信を行う。このＣＥＣ通信部２０８の機能は、図２に示すＣＥＣ制御部１１１及びＣＥＣＩ／Ｆ１１２等により実現される。
【０１３０】
Ｐａｃｋｅｔ／Ｃｏｍｍａｎｄ通信部２０９は、Ｐａｃｋｅｔ／Ｃｏｍｍａｎｄライン１６４を用いた通信を行う。このＰａｃｋｅｔ／Ｃｏｍｍａｎｄ通信部２０９の機能は、図２に示すＰａｃｋｅｔ／Ｃｏｍｍａｎｄ制御部１１３及びＰａｃｋｅｔ／ＣｏｍｍａｎｄＩ／Ｆ１１４等により実現される。
【０１３１】
認証状態取得部２０５Ａは、ＤＤＣ認証状態要求生成部２１０と、ＤＤＣ認証状態解析部２１１とを備える。
【０１３２】
ＤＤＣ認証状態要求生成部２１０は、認証状態要求２５３としてＤＤＣ通信用のコマンドを生成する。また、ＤＤＣ認証状態要求生成部２１０は、ＤＤＣ通信部２０７を介して、生成した認証状態要求２５３をＤＤＣライン１６２へ出力する。
【０１３３】
ＤＤＣ認証状態解析部２１１は、ＤＤＣ通信部２０７を介して、ＤＤＣ通信用のコマンドである認証状態２５４を取得する。また、ＤＤＣ認証状態解析部２１１は、取得した認証状態２５４を解析し、当該認証状態２５４により機器認証が正常に終了したことが示されるか否かを判断する。
【０１３４】
なお、ソース機器１００Ａは、ＣＥＣ通信部２０８及びＰａｃｋｅｔ／Ｃｏｍｍａｎｄ通信部２０９のうち少なくとも１つを備えなくてもよい。
【０１３５】
図１４は、本発明の実施の形態２に係るリピータ機器１４０Ａの構成を示す図である。
【０１３６】
図１４に示すリピータ機器１４０Ａは、図７に示すリピータ機器１４０の構成に加え、さらに、ＤＤＣ通信部３０８及び３０９と、ＣＥＣ通信部３１０及び３１１と、Ｐａｃｋｅｔ／Ｃｏｍｍａｎｄ通信部３１２及び３１３と、ＤＤＣ中継部３１４とを備える。
【０１３７】
ＤＤＣ通信部３０８及び３０９は、ＤＤＣライン１６２を用いたＤＤＣ通信を行う。このＤＤＣ通信部３０８の機能は、図４に示すＤＤＣ制御部１２９及びＤＤＣＩ／Ｆ１３０等により実現される。また、ＤＤＣ通信部３０９の機能は、図４に示すＤＤＣ制御部１０９及びＤＤＣＩ／Ｆ１１０等により実現される。
【０１３８】
ＣＥＣ通信部３１０及び３１１は、ＣＥＣライン１６３を用いた通信を行う。このＣＥＣ通信部３１０の機能は、図４に示すＣＥＣ制御部１３１及びＣＥＣＩ／Ｆ１３２等により実現される。また、ＣＥＣ通信部３１１の機能は、図４に示すＣＥＣ制御部１１１及びＣＥＣＩ／Ｆ１１２等により実現される。
【０１３９】
Ｐａｃｋｅｔ／Ｃｏｍｍａｎｄ通信部３１２及び３１３は、Ｐａｃｋｅｔ／Ｃｏｍｍａｎｄライン１６４を用いた通信を行う。このＰａｃｋｅｔ／Ｃｏｍｍａｎｄ通信部３１２の機能は、図４に示すＰａｃｋｅｔ／Ｃｏｍｍａｎｄ制御部１３３及びＰａｃｋｅｔ／ＣｏｍｍａｎｄＩ／Ｆ１３４等により実現される。また、Ｐａｃｋｅｔ／Ｃｏｍｍａｎｄ通信部３１３の機能は、図４に示すＰａｃｋｅｔ／Ｃｏｍｍａｎｄ制御部１１３及びＰａｃｋｅｔ／ＣｏｍｍａｎｄＩ／Ｆ１１４等により実現される。
【０１４０】
ＤＤＣ中継部３１４は、ソース機器１００Ａにより送信された認証状態要求２５３を、ＤＤＣ通信部３０８を介して取得するとともに、当該認証状態要求２５３を、ＤＤＣ通信部３０９を介して、シンク機器１２０Ａへ送信する。また、ＤＤＣ中継部３１４は、シンク機器１２０Ａにより送信された認証状態２５４を、ＤＤＣ通信部３０９を介して取得するとともに、当該認証状態２５４を、ＤＤＣ通信部３０８を介して、ソース機器１００Ａへ送信する。
【０１４１】
なお、リピータ機器１４０Ａは、ＣＥＣ通信部３１０及び３１１とＰａｃｋｅｔ／Ｃｏｍｍａｎｄ通信部３１２及び３１３とのうち少なくとも１つを備えなくてもよい。
【０１４２】
図１５は、本発明の実施の形態２に係るシンク機器１２０Ａの構成を示す図である。
【０１４３】
図１５に示すシンク機器１２０Ａは、図８に示すシンク機器１２０の構成に加え、さらに、ＤＤＣ通信部４０８と、ＣＥＣ通信部４０９と、Ｐａｃｋｅｔ／Ｃｏｍｍａｎｄ通信部４１０とを備える。また、シンク機器１２０Ａは、認証状態送信部４０６の代わりに認証状態送信部４０６Ａを備える。
【０１４４】
ＤＤＣ通信部４０８は、ＤＤＣライン１６２を用いたＤＤＣ通信を行う。このＤＤＣ通信部４０８の機能は、図３に示すＤＤＣ制御部１２９及びＤＤＣＩ／Ｆ１３０等により実現される。
【０１４５】
ＣＥＣ通信部４０９は、ＣＥＣライン１６３を用いた通信を行う。このＣＥＣ通信部４０９の機能は、図３に示すＣＥＣ制御部１３１及びＣＥＣＩ／Ｆ１３２等により実現される。
【０１４６】
Ｐａｃｋｅｔ／Ｃｏｍｍａｎｄ通信部４１０は、Ｐａｃｋｅｔ／Ｃｏｍｍａｎｄライン１６４を用いた通信を行う。このＰａｃｋｅｔ／Ｃｏｍｍａｎｄ通信部４１０の機能は、図３に示すＰａｃｋｅｔ／Ｃｏｍｍａｎｄ制御部１３３及びＰａｃｋｅｔ／ＣｏｍｍａｎｄＩ／Ｆ１３４等により実現される。
【０１４７】
認証状態送信部４０６Ａは、ＤＤＣ認証状態要求解析部４１１と、ＤＤＣ認証状態送信部４１２とを備える。
【０１４８】
ＤＤＣ認証状態要求解析部４１１は、ＤＤＣ通信部４０８を介して、ＤＤＣ通信用のコマンドである認証状態要求２５３を取得する。また、ＤＤＣ認証状態要求解析部４１１は、ＤＤＣ通信部４０８を介して取得したコマンドが認証状態要求２５３であるか否かを解析する。
【０１４９】
ＤＤＣ認証状態送信部４１２は、ＤＤＣ認証状態要求解析部４１１により、ＤＤＣ通信部４０８を介して取得したコマンドが認証状態要求２５３であると判断された場合、認証状態２５４としてＤＤＣ通信用のコマンドを生成する。また、ＤＤＣ認証状態送信部４１２は、ＤＤＣ通信部４０８を介して、生成した認証状態要求２５３をＤＤＣライン１６２へ出力する。
【０１５０】
なお、シンク機器１２０Ａは、ＣＥＣ通信部４０９及びＰａｃｋｅｔ／Ｃｏｍｍａｎｄ通信部４１０のうち少なくとも１つを備えなくてもよい。
【０１５１】
次に、本発明の実施の形態２に係るコンテンツ送信システム５１の動作を説明する。
【０１５２】
なお、認証状態要求処理及び認証状態送信処理（図９及び図１０に示すステップＳ１０７及びＳ１０８）以外は実施の形態１と同様である。
【０１５３】
図１６は、本発明の実施の形態２に係る認証状態要求処理及び認証状態送信処理のシーケンス図である。
【０１５４】
まず、ソース機器１００Ａは、ＤＤＣライン１６２を用いて、認証状態要求２５３をリピータ機器１４０Ａへ送信する（Ｓ１２０）。
【０１５５】
リピータ機器１４０Ａは、受信した認証状態要求２５３を、ＤＤＣライン１６２を用いて、シンク機器１２０Ａへ送信する（Ｓ１２１）。
【０１５６】
認証状態要求２５３を受信したシンク機器１２０Ａは、ＤＤＣライン１６２を用いて、認証状態２５４をリピータ機器１４０Ａへ送信する（Ｓ１２２）。
【０１５７】
リピータ機器１４０Ａは、受信した認証状態２５４は、ＤＤＣライン１６２を用いて、ソース機器１００Ａへ送信する（Ｓ１２３）。
【０１５８】
次に、認証状態要求２５３及び認証状態２５４の構成を説明する。
【０１５９】
図１７Ａは、認証状態要求２５３の構成例を示す図である。図１７Ａに示す認証状態要求２５３は、コマンド識別子２６１と、送信先情報２６２と、送信元情報２６３とを含む。
【０１６０】
送信先情報２６２は、当該認証状態要求２５３の送信先の機器を示す情報である。送信元情報２６３は、当該認証状態要求２５３の送信元の機器を示す情報である。コマンド識別子２６１は、当該認証状態要求２５３が、送信先情報２６２で示される機器に、当該送信先情報２６２で示される機器から送信元情報２６３で示される機器へ認証状態２５４を送信することを要求するコマンドであることを示す識別子である。
【０１６１】
図１７Ｂは、認証状態２５４の構成例を示す図である。図１７Ｂに示す認証状態２５４は、コマンド識別子２６４と、認証状態情報２６５と、送信先情報２６６と、送信元情報２６７とを含む。
【０１６２】
送信先情報２６６は、当該認証状態２５４の送信先の機器を示す情報である。送信元情報２６７は、当該認証状態２５４の送信元の機器を示す情報である。コマンド識別子２６４は、当該認証状態２５４が、機器認証結果を示す情報であることを示す識別子である。認証状態情報２６５は、機器認証結果（機器認証が成功したか否か）を示す情報である。
【０１６３】
なお、認証状態要求２５３及び認証状態２５４は、図１７Ａ及び図１７Ｂに示す情報のうち一部のみを含んでもよい。例えば、認証状態２５４は、コマンド識別子２６４及び認証状態情報２６５のみを含んでもよい。
【０１６４】
以上より、本発明の実施の形態２に係るコンテンツ送信装置は、ＤＤＣライン１６２を用いて、認証状態要求２５３を送信するとともに、認証状態２５４を取得できる。
【０１６５】
（実施の形態３）
本発明の実施の形態３に係るコンテンツ送信装置は、ＣＥＣ通信を用いて、認証状態要求２５３を送信するとともに、認証状態２５４を取得する。
【０１６６】
図１８は、本発明の実施の形態３に係るソース機器１００Ｂの構成を示す図である。
【０１６７】
図１８に示すソース機器１００Ｂは、図１３に示すソース機器１００Ａの構成に対して、認証状態取得部２０５Ａの代わりに認証状態取得部２０５Ｂを備える。
【０１６８】
認証状態取得部２０５Ｂは、ＣＥＣ認証状態要求生成部２１２と、ＣＥＣ認証状態解析部２１３とを備える。
【０１６９】
ＣＥＣ認証状態要求生成部２１２は、認証状態要求２５３としてＣＥＣ通信用のコマンドを生成する。また、ＣＥＣ認証状態要求生成部２１２は、ＣＥＣ通信部２０８を介して、生成した認証状態要求２５３をＣＥＣライン１６３へ出力する。
【０１７０】
ＣＥＣ認証状態解析部２１３は、ＣＥＣ通信部２０８を介して、ＣＥＣ通信用のコマンドである認証状態２５４を取得する。また、ＣＥＣ認証状態解析部２１３は、取得した認証状態２５４を解析し、当該認証状態２５４により機器認証が正常に終了したことが示されるか否かを判断する。
【０１７１】
なお、ソース機器１００Ｂは、Ｐａｃｋｅｔ／Ｃｏｍｍａｎｄ通信部２０９を備えなくてもよい。
【０１７２】
図１９は、本発明の実施の形態３に係るリピータ機器１４０Ｂの構成を示す図である。
【０１７３】
図１９に示すリピータ機器１４０Ｂは、図１４に示すリピータ機器１４０Ａの構成に対してＤＤＣ中継部３１４を備えない点が異なる。
【０１７４】
この構成により、ソース機器１００Ｂにより送信された認証状態要求２５３は、ＣＥＣ通信部３１０及びＣＥＣ通信部３１１を介して、シンク機器１２０Ｂへ送信される。また、シンク機器１２０Ｂにより送信された認証状態２５４は、ＣＥＣ通信部３１１及びＣＥＣ通信部３１０を介して、ソース機器１００Ｂへ送信する。
【０１７５】
なお、リピータ機器１４０Ｂは、Ｐａｃｋｅｔ／Ｃｏｍｍａｎｄ通信部３１２及び３１３のうち少なくとも１つを備えなくてもよい。
【０１７６】
図２０は、本発明の実施の形態３に係るシンク機器１２０Ｂの構成を示す図である。
【０１７７】
図２０に示すシンク機器１２０Ｂは、図１５に示すシンク機器１２０Ａの構成に対して、認証状態送信部４０６Ａの代わりに認証状態送信部４０６Ｂを備える。
【０１７８】
認証状態送信部４０６Ｂは、ＣＥＣ認証状態要求解析部４１３と、ＣＥＣ認証状態送信部４１４とを備える。
【０１７９】
ＣＥＣ認証状態要求解析部４１３は、ＣＥＣ通信部４０９を介して、ＣＥＣ通信用のコマンドである認証状態要求２５３を取得する。また、ＣＥＣ認証状態要求解析部４１３は、ＣＥＣ通信部４０９を介して取得したコマンドが認証状態要求２５３であるか否かを解析する。
【０１８０】
ＣＥＣ認証状態送信部４１４は、ＣＥＣ認証状態要求解析部４１３により、ＣＥＣ通信部４０９を介して取得したコマンドが認証状態要求２５３であると判断された場合、認証状態２５４としてＣＥＣ通信用のコマンドを生成する。また、ＣＥＣ認証状態送信部４１４は、ＣＥＣ通信部４０９を介して、生成した認証状態要求２５３をＣＥＣライン１６３へ出力する。
【０１８１】
なお、シンク機器１２０Ｂは、Ｐａｃｋｅｔ／Ｃｏｍｍａｎｄ通信部４１０を備えなくてもよい。
【０１８２】
次に、本発明の実施の形態３に係るコンテンツ送信システム５１の動作を説明する。
【０１８３】
なお、認証状態要求処理及び認証状態送信処理（図９及び図１０に示すステップＳ１０７及びＳ１０８）以外は実施の形態１と同様である。
【０１８４】
図２１は、本発明の実施の形態３に係る認証状態要求処理及び認証状態送信処理のシーケンス図である。
【０１８５】
まず、ソース機器１００Ｂは、ＣＥＣライン１６３を用いて、認証状態要求２５３を、リピータ機器１４０Ｂを介して、シンク機器１２０Ｂへ送信する（Ｓ１２５）。
【０１８６】
認証状態要求２５３を受信したシンク機器１２０Ｂは、ＣＥＣライン１６３を用いて、認証状態２５４を、リピータ機器１４０Ｂを介して、ソース機器１００Ｂへ送信する（Ｓ１２６）。
【０１８７】
なお、認証状態要求２５３及び認証状態２５４の構成は、実施の形態２と同様であり説明は省略する。
【０１８８】
以上より、本発明の実施の形態３に係るコンテンツ送信装置は、ＣＥＣライン１６３を用いて、認証状態要求２５３を送信するとともに、認証状態２５４を取得できる。
【０１８９】
（実施の形態４）
本発明の実施の形態４に係るコンテンツ送信装置は、Ｐａｃｋｅｔ／Ｃｏｍｍａｎｄライン１６４を用いて、認証状態要求２５３を送信するとともに、認証状態２５４を取得する。
【０１９０】
ここで、Ｐａｃｋｅｔ／Ｃｏｍｍａｎｄライン１６４とは、例えば、Ｅｔｈｅｒｎｅｔ（登録商標）ラインである。具体的には、ＨＤＭＩ規格Ｖｅｒ１．４ではオプションとしてＲｅｓｅｒｖｅｄピンをＥｔｈｅｒｎｅｔとして使用可能である。よって、Ｅｔｈｅｒｎｅｔ使用の場合には、当該ＥｔｈｅｒｎｅｔラインをＰａｃｋｅｔ／Ｃｏｍｍａｎｄライン１６４として用いることができる。認証確認用のＰａｃｋｅｔを用いてよい。
【０１９１】
なお、ＨＤＭＩ規格Ｖｅｒ１．３ａではＲｅｓｅｒｖｅｄライン（未使用ライン）を拡張することにより、当該ＲｅｓｅｒｖｅｄラインをＰａｃｋｅｔ／Ｃｏｍｍａｎｄライン１６４として用いることができる。また、ＨＤＭＩ規格Ｖｅｒ１．４でもＥｔｈｅｒｎｅｔを使用しない場合は同様にＲｅｓｅｒｖｅｄラインを拡張することにより、当該ＲｅｓｅｒｖｅｄラインをＰａｃｋｅｔ／Ｃｏｍｍａｎｄライン１６４として用いることができる。
【０１９２】
図２２は、本発明の実施の形態４に係るソース機器１００Ｃの構成を示す図である。
【０１９３】
図２２に示すソース機器１００Ｃは、図１３に示すソース機器１００Ａの構成に対して、認証状態取得部２０５Ａの代わりに認証状態取得部２０５Ｃを備える。
【０１９４】
認証状態取得部２０５Ｃは、Ｐａｃｋｅｔ／Ｃｏｍｍａｎｄ認証状態要求生成部２１４と、Ｐａｃｋｅｔ／Ｃｏｍｍａｎｄ認証状態解析部２１５とを備える。
【０１９５】
Ｐａｃｋｅｔ／Ｃｏｍｍａｎｄ認証状態要求生成部２１４は、認証状態要求２５３としてパケット又はコマンドを生成する。また、Ｐａｃｋｅｔ／Ｃｏｍｍａｎｄ認証状態要求生成部２１４は、Ｐａｃｋｅｔ／Ｃｏｍｍａｎｄ通信部２０９を介して、生成した認証状態要求２５３をＰａｃｋｅｔ／Ｃｏｍｍａｎｄライン１６４へ出力する。
【０１９６】
Ｐａｃｋｅｔ／Ｃｏｍｍａｎｄ認証状態解析部２１５は、Ｐａｃｋｅｔ／Ｃｏｍｍａｎｄ通信部２０９を介して、パケット又はコマンドである認証状態２５４を取得する。また、Ｐａｃｋｅｔ／Ｃｏｍｍａｎｄ認証状態解析部２１５は、取得した認証状態２５４を解析し、当該認証状態２５４により機器認証が正常に終了したことが示されるか否かを判断する。
【０１９７】
なお、ソース機器１００Ｃは、ＣＥＣ通信部２０８を備えなくてもよい。
【０１９８】
図２３は、本発明の実施の形態４に係るリピータ機器１４０Ｃの構成を示す図である。
【０１９９】
図２３に示すリピータ機器１４０Ｃは、図１４に示すリピータ機器１４０Ａの構成に対してＤＤＣ中継部３１４の代わりにＰａｃｋｅｔ／Ｃｏｍｍａｎｄ中継部３１５を備える。
【０２００】
Ｐａｃｋｅｔ／Ｃｏｍｍａｎｄ中継部３１５は、ソース機器１００Ｃにより送信された認証状態要求２５３を、Ｐａｃｋｅｔ／Ｃｏｍｍａｎｄ通信部３１２を介して取得するとともに、当該認証状態要求２５３を、Ｐａｃｋｅｔ／Ｃｏｍｍａｎｄ通信部３１３を介して、シンク機器１２０Ｃへ送信する。また、Ｐａｃｋｅｔ／Ｃｏｍｍａｎｄ中継部３１５は、シンク機器１２０Ｃにより送信された認証状態２５４を、Ｐａｃｋｅｔ／Ｃｏｍｍａｎｄ通信部３１３を介して取得するとともに、当該認証状態２５４を、Ｐａｃｋｅｔ／Ｃｏｍｍａｎｄ通信部３１２を介して、ソース機器１００Ｃへ送信する。
【０２０１】
なお、リピータ機器１４０Ｃは、ＣＥＣ通信部３１０及び３１１のうち少なくとも１つを備えなくてもよい。
【０２０２】
図２４は、本発明の実施の形態４に係るシンク機器１２０Ｃの構成を示す図である。
【０２０３】
図２４に示すシンク機器１２０Ｃは、図１５に示すシンク機器１２０Ａの構成に対して、認証状態送信部４０６Ａの代わりに認証状態送信部４０６Ｃを備える。
【０２０４】
認証状態送信部４０６Ｃは、Ｐａｃｋｅｔ／Ｃｏｍｍａｎｄ認証状態要求解析部４１５と、Ｐａｃｋｅｔ／Ｃｏｍｍａｎｄ認証状態送信部４１６とを備える。
【０２０５】
Ｐａｃｋｅｔ／Ｃｏｍｍａｎｄ認証状態要求解析部４１５は、Ｐａｃｋｅｔ／Ｃｏｍｍａｎｄ通信部４１０を介して、パケット又はコマンドである認証状態要求２５３を取得する。また、Ｐａｃｋｅｔ／Ｃｏｍｍａｎｄ認証状態要求解析部４１５は、Ｐａｃｋｅｔ／Ｃｏｍｍａｎｄ通信部４１０を介して取得したパケット又はコマンドが認証状態要求２５３であるか否かを解析する。
【０２０６】
Ｐａｃｋｅｔ／Ｃｏｍｍａｎｄ認証状態送信部４１６は、Ｐａｃｋｅｔ／Ｃｏｍｍａｎｄ認証状態要求解析部４１５により、Ｐａｃｋｅｔ／Ｃｏｍｍａｎｄ通信部４１０を介して取得したパケット又はコマンドが認証状態要求２５３であると判断された場合、認証状態２５４としてパケット又はコマンドを生成する。また、Ｐａｃｋｅｔ／Ｃｏｍｍａｎｄ認証状態送信部４１６は、Ｐａｃｋｅｔ／Ｃｏｍｍａｎｄ通信部４１０を介して、生成した認証状態要求２５３をＰａｃｋｅｔ／Ｃｏｍｍａｎｄライン１６４へ出力する。
【０２０７】
なお、シンク機器１２０Ｃは、ＣＥＣ通信部４０９を備えなくてもよい。
【０２０８】
次に、本発明の実施の形態４に係るコンテンツ送信システム５１の動作を説明する。
【０２０９】
なお、認証状態要求処理及び認証状態送信処理（図９及び図１０に示すステップＳ１０７及びＳ１０８）以外は実施の形態１と同様である。
【０２１０】
図２５は、本発明の実施の形態４に係る認証状態要求処理及び認証状態送信処理のシーケンス図である。
【０２１１】
まず、ソース機器１００Ｃは、Ｐａｃｋｅｔ／Ｃｏｍｍａｎｄライン１６４を用いて、認証状態要求２５３をリピータ機器１４０Ｃへ送信する（Ｓ１３０）。
【０２１２】
リピータ機器１４０Ｃは、受信した認証状態要求２５３を、Ｐａｃｋｅｔ／Ｃｏｍｍａｎｄライン１６４を用いて、シンク機器１２０Ｃへ送信する（Ｓ１３１）。
【０２１３】
認証状態要求２５３を受信したシンク機器１２０Ｃは、Ｐａｃｋｅｔ／Ｃｏｍｍａｎｄライン１６４を用いて、認証状態２５４をリピータ機器１４０Ｃへ送信する（Ｓ１３２）。
【０２１４】
リピータ機器１４０Ｃは、受信した認証状態２５４は、Ｐａｃｋｅｔ／Ｃｏｍｍａｎｄライン１６４を用いて、ソース機器１００Ｃへ送信する（Ｓ１３３）。
【０２１５】
なお、認証状態要求２５３及び認証状態２５４の構成は、実施の形態２と同様であり説明は省略する。
【０２１６】
以上より、本発明の実施の形態４に係るコンテンツ送信装置は、Ｐａｃｋｅｔ／Ｃｏｍｍａｎｄライン１６４を用いて、認証状態要求２５３を送信するとともに、認証状態２５４を取得できる。
【０２１７】
（実施の形態５）
以下の実施の形態５〜１６では、コンテンツ制御処理（図１０のステップＳ１１０）の詳細について説明する。
【０２１８】
また、実施の形態５〜１６では、説明の明確化のため、認証状態処理に対する機能としては実施の形態１の記載に基づき説明を行うが、上述した実施の形態２〜４のうちのいずれかの機能を用いることができる。
【０２１９】
本発明の実施の形態５に係るコンテンツ送信装置は、認証状態２５４により中継機器とコンテンツ受信装置との間の機器認証が正常に成功していないことが示される場合（以下、認証ＮＧ）、中継機器へのコンテンツ情報の送信を停止する。
【０２２０】
図２６は、本発明の実施の形態５に係るソース機器１００Ｄの構成を示す図である。
【０２２１】
図２６に示すソース機器１００Ｄは、図６に示すソース機器１００の構成に対して、コンテンツ制御部２０６の代わりにコンテンツ制御部２０６Ｄを備える。
【０２２２】
コンテンツ制御部２０６Ｄは、コンテンツ送信停止部２２０を備える。
【０２２３】
このコンテンツ送信停止部２２０は、認証ＮＧの場合、リピータ機器１４０への暗号化コンテンツ情報２５２の送信を停止する。具体的には、コンテンツ送信停止部２２０は、再生部２０１からのコンテンツ情報２５１の出力と、暗号化部２０２による暗号化処理と、コンテンツ送信部２０３により暗号化コンテンツ情報２５２の送信とのうち１以上を停止する。
【０２２４】
次に、本発明の実施の形態５に係るコンテンツ送信システム５１の動作を説明する。
【０２２５】
なお、コンテンツ制御処理（図１０に示すステップＳ１１０）以外は実施の形態１と同様である。
【０２２６】
図２７は、本発明の実施の形態５に係るコンテンツ制御処理のシーケンス図である。
【０２２７】
図２７に示すように、認証ＮＧの場合、ソース機器１００Ｄは、リピータ機器１４０への暗号化コンテンツ情報２５２の送信を停止する（Ｓ１３５）。
【０２２８】
以上より、本発明の実施の形態５に係るコンテンツ送信装置は、認証ＮＧの場合には、当該コンテンツ送信装置に直接接続されている中継機器へのコンテンツ情報の送信を停止することにより、コンテンツ受信装置へコンテンツ情報が送信されないようにできる。
【０２２９】
（実施の形態６）
本発明の実施の形態６に係るコンテンツ送信装置は、認証ＮＧの場合、コンテンツ受信装置へのコンテンツ送信を停止するように中継機器に要求する。
【０２３０】
図２８は、本発明の実施の形態６に係るソース機器１００Ｅの構成を示す図である。
【０２３１】
図２８に示すソース機器１００Ｅは、図６に示すソース機器１００の構成に対して、コンテンツ制御部２０６の代わりにコンテンツ制御部２０６Ｅを備える。
【０２３２】
コンテンツ制御部２０６Ｅは、コンテンツ送信停止要求部２２１を備える。
【０２３３】
このコンテンツ送信停止要求部２２１は、認証ＮＧの場合、リピータ機器１４０Ｅへコンテンツ送信停止要求２７１を送信する。このコンテンツ送信停止要求２７１は、リピータ機器１４０Ｅに、当該リピータ機器１４０Ｅからシンク機器１２０へのコンテンツ情報の送信を停止するように指示する要求である。
【０２３４】
また、コンテンツ送信停止要求２７１をリピータ機器１４０Ｅへ送信する方法としては、上述した実施の形態２〜４における認証状態要求２５３を送信する方法を用いることができる。つまり、コンテンツ送信停止要求部２２１は、ＤＤＣライン１６２、ＣＥＣライン１６３及びＰａｃｋｅｔ／Ｃｏｍｍａｎｄライン１６４のうちいずれかを用いて、コンテンツ送信停止要求２７１をリピータ機器１４０Ｅへ送信する。また、ソース機器１００Ｅは、認証状態要求２５３を送信する場合と、コンテンツ送信停止要求２７１を送信する場合とで、異なる方法を用いてもよい。例えば、ソース機器１００Ｅは、認証状態要求２５３を送信する場合にＤＤＣライン１６２を用い、コンテンツ送信停止要求２７１を送信する場合にＣＥＣライン１６３を用いてもよい。また、ソース機器１００Ｅは、これ以外のいずれの組み合わせを用いてもよい。
【０２３５】
図２９は、本発明の実施の形態６に係るリピータ機器１４０Ｅの構成を示す図である。
【０２３６】
図２９に示すリピータ機器１４０Ｅは、図７に示すリピータ機器１４０の構成に加え、さらに、コンテンツ制御部３１９Ｅを備える。
【０２３７】
このコンテンツ制御部３１９Ｅは、コンテンツ送信停止部３２０を備える。
【０２３８】
コンテンツ送信停止部３２０は、コンテンツ送信停止要求２７１を受信した場合、シンク機器１２０への暗号化コンテンツ情報３５３の送信を停止する。具体的には、コンテンツ送信停止部３２０は、暗号化部３０５による暗号化処理と、コンテンツ送信部３０６により暗号化コンテンツ情報３５３の送信とのうち１以上を停止する。
【０２３９】
次に、本発明の実施の形態６に係るコンテンツ送信システム５１の動作を説明する。
【０２４０】
なお、コンテンツ制御処理（図１０に示すステップＳ１１０）以外は実施の形態１と同様である。
【０２４１】
図３０は、本発明の実施の形態６に係るコンテンツ制御処理のシーケンス図である。
【０２４２】
図３０に示すように、認証ＮＧの場合、ソース機器１００Ｅは、リピータ機器１４０Ｅへコンテンツ送信停止要求２７１を送信する（Ｓ１４０）。
【０２４３】
コンテンツ送信停止要求２７１を受信したリピータ機器１４０Ｅは、シンク機器１２０への暗号化コンテンツ情報３５３の送信を停止する（Ｓ１４１）。
【０２４４】
これにより、ソース機器１００Ｅからリピータ機器１４０Ｅへコンテンツ情報が送信される（Ｓ１４２）が、リピータ機器１４０Ｅからシンク機器１２０へはコンテンツ情報は送信されない。
【０２４５】
以上より、本発明の実施の形態６に係るコンテンツ送信装置は、認証ＮＧの場合には、コンテンツ受信装置へのコンテンツ情報の送信を停止するように中継機器へ要求する。これにより、中継機器はコンテンツ受信装置へのコンテンツ情報の送信を停止する。このように、本発明の実施の形態６に係るコンテンツ送信システムは、コンテンツ受信装置へコンテンツ情報が送信されないようにできる。
【０２４６】
また、実施の形態５と比較すると、本発明の実施の形態６に係るコンテンツ送信装置では、機器認証が成功した機器へコンテンツ情報を送信できるという利点がある。
【０２４７】
なお、コンテンツ送信装置と認証ＮＧの機器（コンテンツ受信装置）との間に複数の中継機器が接続される場合には、認証ＮＧの機器に対して、コンテンツ送信装置側の直前の中継機器へコンテンツ送信停止要求２７１を送信したほうが好ましい。これにより、より多くの認証が成功した機器へコンテンツ情報を送信できる。
【０２４８】
（実施の形態７）
本発明の実施の形態７に係るコンテンツ送信装置は、認証ＮＧの場合、中継機器へフリーコンテンツを送信する。
【０２４９】
図３１は、本発明の実施の形態７に係るソース機器１００Ｆの構成を示す図である。
【０２５０】
図３１に示すソース機器１００Ｆは、図６に示すソース機器１００の構成に対して、コンテンツ制御部２０６の代わりにコンテンツ制御部２０６Ｆを備える。
【０２５１】
コンテンツ制御部２０６Ｆは、コンテンツ切替部２２２を備える。
【０２５２】
このコンテンツ切替部２２２は、認証ＮＧの場合、リピータ機器１４０へフリーコンテンツを送信する。具体的には、コンテンツ切替部２２２は、コンテンツ送信部２０３に暗号化コンテンツ情報２５２の代わりにフリーコンテンツを送信させる。ここで、フリーコンテンツとは、機器認証及び著作権保護が必要ない映像であり、例えば、壁紙等である。
【０２５３】
次に、本発明の実施の形態７に係るコンテンツ送信システム５１の動作を説明する。
【０２５４】
なお、コンテンツ制御処理（図１０に示すステップＳ１１０）以外は実施の形態１と同様である。
【０２５５】
図３２は、本発明の実施の形態７に係るコンテンツ制御処理のシーケンス図である。
【０２５６】
図３２に示すように、認証ＮＧの場合、ソース機器１００Ｆは、リピータ機器１４０へ送信するデータを暗号化コンテンツ情報２５２からフリーコンテンツへ切り替える（Ｓ１４５）。そして、ソース機器１００Ｆは、リピータ機器１４０へフリーコンテンツを送信する（Ｓ１４６）。また、リピータ機器１４０は、受信したフリーコンテンツをシンク機器１２０へ送信する。
【０２５７】
以上より、本発明の実施の形態７に係るコンテンツ送信装置は、認証ＮＧの場合には、当該コンテンツ送信装置に直接接続されている中継機器へフリーコンテンツを送信することにより、コンテンツ受信装置へコンテンツ情報が送信されないようにできる。
【０２５８】
（実施の形態８）
本発明の実施の形態８に係るコンテンツ送信装置は、認証ＮＧの場合、コンテンツ受信装置へフリーコンテンツを送信するように中継機器に要求する。
【０２５９】
図３３は、本発明の実施の形態８に係るソース機器１００Ｇの構成を示す図である。
【０２６０】
図３３に示すソース機器１００Ｇは、図６に示すソース機器１００の構成に対して、コンテンツ制御部２０６の代わりにコンテンツ制御部２０６Ｇを備える。
【０２６１】
コンテンツ制御部２０６Ｇは、コンテンツ切替要求部２２３を備える。
【０２６２】
このコンテンツ切替要求部２２３は、認証ＮＧの場合、リピータ機器１４０Ｇへコンテンツ切替要求２７２を送信する。このコンテンツ切替要求２７２は、リピータ機器１４０Ｇに、当該リピータ機器１４０Ｇからシンク機器１２０へフリーコンテンツを送信するように指示する要求である。
【０２６３】
また、コンテンツ切替要求２７２をリピータ機器１４０Ｇへ送信する方法としては、上述した実施の形態２〜４における認証状態要求２５３を送信する方法を用いることができる。つまり、コンテンツ切替要求部２２３は、ＤＤＣライン１６２、ＣＥＣライン１６３及びＰａｃｋｅｔ／Ｃｏｍｍａｎｄライン１６４のうちいずれかを用いて、コンテンツ切替要求２７２をリピータ機器１４０Ｇへ送信する。また、ソース機器１００Ｇは、認証状態要求２５３を送信する場合と、コンテンツ切替要求２７２を送信する場合とで、異なる方法を用いてもよい。
【０２６４】
図３４は、本発明の実施の形態８に係るリピータ機器１４０Ｇの構成を示す図である。
【０２６５】
図３４に示すリピータ機器１４０Ｇは、図７に示すリピータ機器１４０の構成に加え、さらに、コンテンツ制御部３１９Ｇを備える。
【０２６６】
このコンテンツ制御部３１９Ｇは、コンテンツ切替部３２２を備える。
【０２６７】
コンテンツ切替部３２２は、コンテンツ切替要求２７２を受信した場合、シンク機器１２０へフリーコンテンツを送信する。具体的には、コンテンツ切替部３２２は、コンテンツ送信部３０６に暗号化コンテンツ情報３５３の代わりにフリーコンテンツを送信させる。
【０２６８】
次に、本発明の実施の形態８に係るコンテンツ送信システム５１の動作を説明する。
【０２６９】
なお、コンテンツ制御処理（図１０に示すステップＳ１１０）以外は実施の形態１と同様である。
【０２７０】
図３５は、本発明の実施の形態８に係るコンテンツ制御処理のシーケンス図である。
【０２７１】
図３５に示すように、認証ＮＧの場合、ソース機器１００Ｇは、リピータ機器１４０Ｇへコンテンツ切替要求２７２を送信する（Ｓ１５１）。
【０２７２】
コンテンツ切替要求２７２を受信したリピータ機器１４０Ｇは、シンク機器１２０へ送信するデータを暗号化コンテンツ情報３５３からフリーコンテンツに切り替える（Ｓ１５２）。
【０２７３】
これにより、ソース機器１００Ｇからリピータ機器１４０Ｇへコンテンツ情報が送信される（Ｓ１５４）が、リピータ機器１４０Ｇからシンク機器１２０へはフリーコンテンツが送信される（Ｓ１５３）。
【０２７４】
以上より、本発明の実施の形態８に係るコンテンツ送信装置は、認証ＮＧの場合には、コンテンツ受信装置へフリーコンテンツを送信するように中継機器へ要求する。これにより、中継機器はコンテンツ受信装置へフリーコンテンツを送信する。このように、本発明の実施の形態８に係るコンテンツ送信システムは、コンテンツ受信装置へコンテンツ情報が送信されないようにできる。
【０２７５】
また、実施の形態７と比較すると、本発明の実施の形態８に係るコンテンツ送信装置では、機器認証が成功した機器へコンテンツ情報を送信できるという利点がある。
【０２７６】
なお、コンテンツ送信装置と認証ＮＧの機器（コンテンツ受信装置）との間に複数の中継機器が接続される場合には、認証ＮＧの機器に対して、コンテンツ送信装置側の直前の中継機器へコンテンツ切替要求２７２を送信したほうが好ましい。これにより、より多くの認証が成功した機器へコンテンツ情報を送信できる。
【０２７７】
（実施の形態９）
本発明の実施の形態９に係るコンテンツ送信装置は、認証ＮＧの場合、中継機器との間のＨｏｔＰｌｕｇを切断する。
【０２７８】
図３６は、本発明の実施の形態９に係るソース機器１００Ｈの構成を示す図である。
【０２７９】
図３６に示すソース機器１００Ｈは、図６に示すソース機器１００の構成に対して、コンテンツ制御部２０６の代わりにコンテンツ制御部２０６Ｈを備える。また、ソース機器１００Ｈは、さらに、ＨｏｔＰｌｕｇ制御部２２４を備える。
【０２８０】
ＨｏｔＰｌｕｇ制御部２２４は、ＨＤＭＩケーブル１６０に含まれるＨｏｔＰｌｕｇライン１６５を介して接続先とのＨｏｔＰｌｕｇ状態を制御する。
【０２８１】
コンテンツ制御部２０６Ｈは、ＨｏｔＰｌｕｇ切断部２２５を備える。
【０２８２】
このＨｏｔＰｌｕｇ切断部２２５は、認証ＮＧの場合、ＨｏｔＰｌｕｇ制御部２２４を介して、リピータ機器１４０との間のＨｏｔＰｌｕｇ状態を切断する（ＨｏｔＰｌｕｇ状態を未接続状態にする）。ここでＨｏｔＰｌｕｇ状態が未接続状態の場合、各機器は、対応するＨＤＭＩ端子に他の機器が接続されていないと認識する。つまり、ＨｏｔＰｌｕｇ状態が未接続状態の場合、対応する機器へコンテンツ情報を送信しない。
【０２８３】
次に、本発明の実施の形態９に係るコンテンツ送信システム５１の動作を説明する。
【０２８４】
なお、コンテンツ制御処理（図１０に示すステップＳ１１０）以外は実施の形態１と同様である。
【０２８５】
図３７は、本発明の実施の形態９に係るコンテンツ制御処理のシーケンス図である。
【０２８６】
図３７に示すように、認証ＮＧの場合、ソース機器１００Ｈは、リピータ機器１４０との間のＨｏｔＰｌｕｇ状態を未接続状態に切り替える（Ｓ１５６）。これにより、ソース機器１００Ｈからリピータ機器１４０への暗号化コンテンツ情報２５２の送信が行われない。
【０２８７】
以上より、本発明の実施の形態９に係るコンテンツ送信装置は、認証ＮＧの場合には、当該コンテンツ送信装置に直接接続されている中継機器との間のＨｏｔＰｌｕｇを切断することにより、コンテンツ受信装置へコンテンツ情報が送信されないようにできる。
【０２８８】
（実施の形態１０）
本発明の実施の形態１０に係るコンテンツ送信装置は、認証ＮＧの場合、コンテンツ受信装置との間のＨｏｔＰｌｕｇを切断するように中継機器に要求する。
【０２８９】
図３８は、本発明の実施の形態１０に係るソース機器１００Ｉの構成を示す図である。
【０２９０】
図３８に示すソース機器１００Ｉは、図６に示すソース機器１００の構成に対して、コンテンツ制御部２０６の代わりにコンテンツ制御部２０６Ｉを備える。
【０２９１】
コンテンツ制御部２０６Ｉは、ＨｏｔＰｌｕｇ切断要求部２２６を備える。
【０２９２】
このＨｏｔＰｌｕｇ切断要求部２２６は、認証ＮＧの場合、リピータ機器１４０ＩへＨｏｔＰｌｕｇ切断要求２７３を送信する。このＨｏｔＰｌｕｇ切断要求２７３は、リピータ機器１４０Ｉに、当該リピータ機器１４０Ｉとシンク機器１２０との間のＨｏｔｐｌｕｇ状態を未接続状態に変更するように指示する要求である。
【０２９３】
また、ＨｏｔＰｌｕｇ切断要求２７３をリピータ機器１４０Ｉへ送信する方法としては、上述した実施の形態２〜４における認証状態要求２５３を送信する方法を用いることができる。つまり、ＨｏｔＰｌｕｇ切断要求部２２６は、ＤＤＣライン１６２、ＣＥＣライン１６３及びＰａｃｋｅｔ／Ｃｏｍｍａｎｄライン１６４のうちいずれかを用いて、ＨｏｔＰｌｕｇ切断要求２７３をリピータ機器１４０Ｉへ送信する。また、ソース機器１００Ｉは、認証状態要求２５３を送信する場合と、ＨｏｔＰｌｕｇ切断要求２７３を送信する場合とで、異なる方法を用いてもよい。
【０２９４】
図３９は、本発明の実施の形態１０に係るリピータ機器１４０Ｉの構成を示す図である。
【０２９５】
図３９に示すリピータ機器１４０Ｉは、図７に示すリピータ機器１４０の構成に加え、さらに、コンテンツ制御部３１９Ｉを備える。また、リピータ機器１４０Ｉは、さらに、ＨｏｔＰｌｕｇ制御部３２４を備える。
【０２９６】
ＨｏｔＰｌｕｇ制御部３２４は、ＨＤＭＩケーブル１６０に含まれるＨｏｔＰｌｕｇライン１６５を介して接続先とのＨｏｔＰｌｕｇ状態を制御する。
【０２９７】
コンテンツ制御部３１９Ｉは、ＨｏｔＰｌｕｇ切断部３２５を備える。
【０２９８】
ＨｏｔＰｌｕｇ切断部３２５は、ＨｏｔＰｌｕｇ切断要求２７３を受信した場合、当該リピータ機器１４０Ｉとシンク機器１２０との間のＨｏｔＰｌｕｇ状態を未接続状態に変更する。
【０２９９】
次に、本発明の実施の形態１０に係るコンテンツ送信システム５１の動作を説明する。
【０３００】
なお、コンテンツ制御処理（図１０に示すステップＳ１１０）以外は実施の形態１と同様である。
【０３０１】
図４０は、本発明の実施の形態１０に係るコンテンツ制御処理のシーケンス図である。
【０３０２】
図４０に示すように、認証ＮＧの場合、ソース機器１００Ｉは、リピータ機器１４０ＩへＨｏｔＰｌｕｇ切断要求２７３を送信する（Ｓ１６１）。
【０３０３】
ＨｏｔＰｌｕｇ切断要求２７３を受信したリピータ機器１４０Ｉは、シンク機器１２０との間のＨｏｔＰｌｕｇ状態を未接続状態に切り替える（Ｓ１６２）。
【０３０４】
これにより、ソース機器１００Ｉからリピータ機器１４０Ｉへコンテンツ情報が送信される（Ｓ１６３）が、リピータ機器１４０Ｉからシンク機器１２０へはコンテンツ情報が送信されない。
【０３０５】
以上より、本発明の実施の形態１０に係るコンテンツ送信装置は、認証ＮＧの場合には、コンテンツ受信装置と中継機器との間のＨｏｔＰｌｕｇを切断するように中継機器へ要求する。これにより、中継機器はコンテンツ受信装置との間のＨｏｔＰｌｕｇを切断する。このように、本発明の実施の形態１０に係るコンテンツ送信システムは、コンテンツ受信装置へコンテンツ情報が送信されないようにできる。
【０３０６】
また、実施の形態９と比較すると、本発明の実施の形態１０に係るコンテンツ送信装置では、機器認証が成功した機器へコンテンツ情報を送信できるという利点がある。
【０３０７】
なお、コンテンツ送信装置と認証ＮＧの機器（コンテンツ受信装置）との間に複数の中継機器が接続される場合には、認証ＮＧの機器に対して、コンテンツ送信装置側の直前の中継機器へＨｏｔＰｌｕｇ切断要求２７３を送信したほうが好ましい。これにより、より多くの認証が成功した機器へコンテンツ情報を送信できる。
【０３０８】
（実施の形態１１）
本発明の実施の形態１１に係るコンテンツ送信装置は、認証ＮＧの場合、ＥＤＩＤを用いて、中継機器に不正な機器の情報を通知する。
【０３０９】
図４１は、本発明の実施の形態１１に係るコンテンツ送信システム５２の構成を示す図である。
【０３１０】
図４１に示すコンテンツ送信システム５２は、ソース機器１００と、リピータ機器１４１Ｊと、リピータ機器１４０Ｊと、シンク機器１２０Ｊとを含む。
【０３１１】
ソース機器１００とリピータ機器１４１ＪとはＨＤＭＩケーブル１６０Ｅを介して接続されている。リピータ機器１４１Ｊとリピータ機器１４０ＪとはＨＤＭＩケーブル１６０Ｄを介して接続されている。リピータ機器１４０Ｊとシンク機器１２０ＪとはＨＤＭＩケーブル１６０Ｃを介して接続されている。
【０３１２】
また、以下では、シンク機器１２０Ｊから、リピータ機器１４０Ｊを介して、リピータ機器１４１Ｊに音声情報を含むコンテンツ情報が送信される例を用いて説明を行う。つまり、図４１に示す例では、シンク機器１２０Ｊがコンテンツ送信装置であり、リピータ機器１４０Ｊが中継機器であり、リピータ機器１４１Ｊがコンテンツ受信装置である。
【０３１３】
図４２は、本発明の実施の形態１１に係るシンク機器１２０Ｊの構成を示す図である。
【０３１４】
図４２に示すシンク機器１２０Ｊは、再生部２０１と、暗号化部２０２と、コンテンツ送信部２０３と、認証部２０４と、認証状態取得部２０５と、ＤＤＣ通信部４０８と、コンテンツ制御部４１９Ｊと、ＥＤＩＤ記憶部４２０と、ＥＤＩＤ送信部４２１と、ＨｏｔＰｌｕｇ制御部４２４とを備える。
【０３１５】
再生部２０１、暗号化部２０２、コンテンツ送信部２０３、認証部２０４、及び認証状態取得部２０５の機能は、図６に示す暗号化部２０２、コンテンツ送信部２０３、認証部２０４、及び認証状態取得部２０５とほぼ同様である。
【０３１６】
なお、再生部２０１、暗号化部２０２及びコンテンツ送信部２０３において音声情報のみが処理される点が図６に示す各処理部と異なる。
【０３１７】
ＨｏｔＰｌｕｇ制御部４２４は、ＨＤＭＩケーブル１６０Ｃに含まれるＨｏｔＰｌｕｇライン１６５を介してリピータ機器１４０ＪとのＨｏｔＰｌｕｇ状態を制御する。
【０３１８】
ＤＤＣ通信部４０８は、ＤＤＣライン１６２を用いたＤＤＣ通信を行う。
【０３１９】
ＥＤＩＤ記憶部４２０は、ＥＤＩＤ情報４２６を記憶する。このＥＤＩＤ情報４２６は、ＨＤＭＩ規格における相手機器情報である。具体的には、ＥＤＩＤ情報４２６は、ＨＤＭＩが処理できる信号の種類についての機器情報、パネルの解像度などの情報、ピクセルクロック、水平有効期間、垂直有効期間、及び最大出力オーディオサンプリング周波数などの情報を含む。また、このＥＤＩＤ情報４２６は、一般には、シンク機器側からソース機器側に向かい隣接機器間で送信される。
【０３２０】
ＥＤＩＤ送信部４２１は、ＥＤＩＤ情報４２６を、ＤＤＣ通信部４０８を介して、リピータ機器１４０Ｊへ送信する。
【０３２１】
コンテンツ制御部４１９Ｊは、認証状態２５４によりリピータ機器１４０Ｊとリピータ機器１４１Ｊとの間で認証が正常に終了していないことが示される場合、リピータ機器１４１Ｊがコンテンツ情報２５１を取得できないように制御する。
【０３２２】
このコンテンツ制御部４１９Ｊは、ＨｏｔＰｌｕｇ切断部４２５と、ＥＤＩＤ更新部４２３とを備える。
【０３２３】
ＨｏｔＰｌｕｇ切断部４２５は、ＨｏｔＰｌｕｇ制御部４２４を介して、リピータ機器１４０Ｊとの間のＨｏｔＰｌｕｇ状態を切り替える。
【０３２４】
ＥＤＩＤ更新部４２３は、認証ＮＧの場合に、認証ＮＧである機器の情報である不正機器情報４２７をＥＤＩＤ記憶部４２０に記憶されているＥＤＩＤ情報４２６に加える。
【０３２５】
図４３は、リピータ機器１４０Ｊの構成を示すブロック図である。
【０３２６】
図４３に示すリピータ機器１４０Ｊは、コンテンツ受信部３０１と、復号部３０２と、出音部３０３と、認証部３０４と、暗号化部３０５と、コンテンツ送信部３０６と、認証部３０７と、ＤＤＣ通信部３０９と、コンテンツ制御部３１９Ｊと、ＨｏｔＰｌｕｇ制御部３２４と、ＥＤＩＤ受信部３２７とを備える。
【０３２７】
コンテンツ受信部３０１、復号部３０２と、出音部３０３、認証部３０４、暗号化部３０５、コンテンツ送信部３０６及び認証部３０７の機能は、図７に示すコンテンツ受信部３０１、復号部３０２と、出音部３０３、認証部３０４、暗号化部３０５、コンテンツ送信部３０６及び認証部３０７とほぼ同様である。
【０３２８】
なお、コンテンツ受信部３０１、復号部３０２と、暗号化部３０５及びコンテンツ送信部３０６において音声情報のみが処理される点が図７に示す各処理部と異なる。
【０３２９】
ＨｏｔＰｌｕｇ制御部３２４は、ＨＤＭＩケーブル１６０Ｃに含まれるＨｏｔＰｌｕｇライン１６５を介してシンク機器１２０ＪとのＨｏｔＰｌｕｇ状態を制御する。
【０３３０】
ＤＤＣ通信部４０８は、ＤＤＣライン１６２を用いたＤＤＣ通信を行う。
【０３３１】
ＥＤＩＤ受信部３２７は、シンク機器１２０ＪとのＨｏｔＰｌｕｇ状態が未接続状態から接続状態に切り替わった場合に、ＤＤＣ通信部３０９を介して、シンク機器１２０ＪのＥＤＩＤ情報４２６を取得する。
【０３３２】
コンテンツ制御部３１９Ｊは、ＥＤＩＤ解析部３２８を備える。
【０３３３】
ＥＤＩＤ解析部３２８は、ＥＤＩＤ情報４２６に含まれる不正機器情報４２７を解析し、不正機器情報４２７で示される不正な機器を特定する。
【０３３４】
また、コンテンツ制御部３１９Ｊは、不正機器情報４２７で示される不正な機器がコンテンツ情報を取得できないように制御する。なお、このコンテンツ制御部３１９Ｊによる不正機器に対する制御は、上記実施の形態５〜１０で述べたコンテンツ制御処理のうちいずれかを用いればよい。
【０３３５】
次に、本発明の実施の形態１１に係るコンテンツ送信システム５２の動作を説明する。
【０３３６】
図４４は、本発明の実施の形態１１に係るコンテンツ制御処理のシーケンス図である。
【０３３７】
図４４に示すように、認証ＮＧの場合、シンク機器１２０ＪのＨｏｔＰｌｕｇ切断部４２５は、リピータ機器１４０Ｊとの間のＨｏｔＰｌｕｇ状態を未接続状態に切り替える（Ｓ１７１）。なお、ＨｏｔＰｌｕｇ切断部４２５は、ＨｏｔＰｌｕｇ状態が接続状態であるか否かを判定し、未接続状態である場合には、この処理を行わなくてもよい。
【０３３８】
次に、シンク機器１２０ＪのＥＤＩＤ更新部４２３は、不正機器情報４２７にリピータ機器１４１Ｊを示す情報を加える（Ｓ１７２）。
【０３３９】
次に、シンク機器１２０ＪのＨｏｔＰｌｕｇ切断部４２５は、リピータ機器１４０Ｊとの間のＨｏｔＰｌｕｇ状態を接続状態に切り替える（Ｓ１７３）。
【０３４０】
これにより、リピータ機器１４０Ｊは、シンク機器１２０ＪからＥＤＩＤ情報４２６を取得する（Ｓ１７４）。
【０３４１】
次に、リピータ機器１４０Ｊは、ＥＤＩＤ情報４２６に含まれる不正機器情報４２７で示されるリピータ機器１４１Ｊがコンテンツ情報を取得できないように制御する（Ｓ１７５）。
【０３４２】
これにより、シンク機器１２０Ｊからリピータ機器１４０Ｊへ暗号化コンテンツ情報２５２が送信される（Ｓ１７６）が、リピータ機器１４０Ｊからリピータ機器１４１Ｊへはコンテンツ情報が送信されない。
【０３４３】
なお、ＨｏｔＰｌｕｇ切断部４２５は、ＨｏｔＰｌｕｇ切断処理（ステップＳ１７１）を、ＥＤＩＤ情報更新処理（Ｓ１７２）の後に行ってもよい。
【０３４４】
以上より、本発明の実施の形態１１に係るコンテンツ送信装置は、認証ＮＧの場合には、ＥＤＩＤを用いて、中継機器へ不正機器を特定するための情報を送信できる。
【０３４５】
（実施の形態１２）
実施の形態１１では、認証状態の確認と、ＥＤＩＤを用いた不正機器情報の通知とをシンク機器が行っていたが、本発明の実施の形態１２では、認証状態の確認を他の機器（ソース機器）が行う例について説明する。
【０３４６】
なお、コンテンツ送信システム５２の構成は、図４１と同様であるとする。
【０３４７】
図４５は、本発明の実施の形態１２に係るソース機器１００Ｋの構成を示す図である。
【０３４８】
図４５に示すソース機器１００Ｋは、図６に示すソース機器１００の構成に対して、コンテンツ制御部２０６の代わりにコンテンツ制御部２０６Ｋを備える。
【０３４９】
コンテンツ制御部２０６Ｋは、ＥＤＩＤ更新要求部２２７を備える。
【０３５０】
このＥＤＩＤ更新要求部２２７は、認証ＮＧの場合、シンク機器１２０ＫへＥＤＩＤ更新要求２７４を送信する。このＥＤＩＤ更新要求２７４は、シンク機器１２０Ｋに、不正機器情報４２７に認証ＮＧの機器（リピータ機器１４１Ｊ）の情報を加えるように指示する要求である。
【０３５１】
また、ＥＤＩＤ更新要求２７４をシンク機器１２０Ｋへ送信する方法としては、上述した実施の形態２〜４における認証状態要求２５３を送信する方法を用いることができる。つまり、ＨｏｔＰｌｕｇ切断要求部２２６は、ＤＤＣライン１６２、ＣＥＣライン１６３及びＰａｃｋｅｔ／Ｃｏｍｍａｎｄライン１６４のうちいずれかを用いて、ＥＤＩＤ更新要求２７４をシンク機器１２０Ｋへ送信する。また、ソース機器１００Ｋは、認証状態要求２５３を送信する場合と、ＥＤＩＤ更新要求２７４を送信する場合とで、異なる方法を用いてもよい。
【０３５２】
図４６は、本発明の実施の形態１２に係るシンク機器１２０Ｋの構成を示す図である。
【０３５３】
図４６に示すシンク機器１２０Ｋは、図４２に示すシンク機器１２０Ｊの構成に対して、コンテンツ制御部４１９Ｊの代わりにコンテンツ制御部４１９Ｋを備える。また、シンク機器１２０Ｋは、認証状態取得部２０５を備えない。
【０３５４】
コンテンツ制御部４１９Ｋは、ＥＤＩＤ更新要求解析部４２８と、ＨｏｔＰｌｕｇ切断部４２５と、ＥＤＩＤ更新部４２３とを備える。
【０３５５】
ＥＤＩＤ更新要求解析部４２８は、ＥＤＩＤ更新要求２７４を解析する。例えば、ＥＤＩＤ更新要求２７４は、当該コマンドを識別するための識別子と、不正機器（認証ＮＧの機器）を特定する情報とを含む。
【０３５６】
ＨｏｔＰｌｕｇ切断部４２５は、ＨｏｔＰｌｕｇ制御部４２４を介して、リピータ機器１４０Ｊとの間のＨｏｔＰｌｕｇ状態を切り替える。
【０３５７】
ＥＤＩＤ更新部４２３は、当該シンク機器１２０ＫがＥＤＩＤ更新要求２７４を受信した場合に、当該ＥＤＩＤ更新要求２７４で示される機器の情報を不正機器情報４２７に加える。
【０３５８】
次に、本発明の実施の形態１２に係るコンテンツ送信システム５２の動作を説明する。
【０３５９】
図４７は、本発明の実施の形態１２に係るコンテンツ制御処理のシーケンス図である。
【０３６０】
図４７に示すように、認証ＮＧの場合、ソース機器１００Ｋは、シンク機器１２０ＫへＥＤＩＤ更新要求２７４を送信する（Ｓ１７７）。
【０３６１】
ＥＤＩＤ更新要求２７４を受信したシンク機器１２０Ｋは、ＥＤＩＤ情報を更新するとともに、更新したＥＤＩＤ情報をリピータ機器１４０Ｊへ送信する。なお、図４７に示すステップＳ１７１〜Ｓ１７６の処理は図４４と同様であり、詳細な説明は省略する。
【０３６２】
以上より、本発明の実施の形態１１に係るコンテンツ送信装置は、認証ＮＧの場合には、ＥＤＩＤを用いて、中継機器へ不正機器を特定するための情報を送信できる。
【０３６３】
（実施の形態１３）
本発明の実施の形態１３に係るコンテンツ送信装置は、中継機器のＢｃａｐｓ／Ｂｓｔａｔｕｓ情報を更新する。
【０３６４】
図４８は、本発明の実施の形態１３に係るコンテンツ送信システム５３の構成を示す図である。
【０３６５】
図４８に示すコンテンツ送信システム５３は、ソース機器１００Ｌと、リピータ機器１４１Ｌと、リピータ機器１４０Ｌと、シンク機器１２０Ｌとを含む。
【０３６６】
ソース機器１００Ｌとリピータ機器１４１ＬとはＨＤＭＩケーブル１６０Ｅを介して接続されている。リピータ機器１４１Ｌとリピータ機器１４０ＬとはＨＤＭＩケーブル１６０Ｄを介して接続されている。リピータ機器１４０Ｌとシンク機器１２０ＬとはＨＤＭＩケーブル１６０Ｃを介して接続されている。
【０３６７】
また、以下では、ソース機器１００Ｌから、リピータ機器１４１Ｌ及びリピータ機器１４０Ｌを介して、シンク機器１２０Ｌにコンテンツ情報が送信される例を用いて説明を行う。つまり、図４８に示す例では、シンク機器１２０Ｌがコンテンツ送信装置であり、リピータ機器１４０Ｌ及びリピータ機器１４１Ｌが中継機器であり、シンク機器１２０Ｌがコンテンツ受信装置である。
【０３６８】
また、以下では、上記実施の形態６の構成に加え、さらに、中継機器のＢｃａｐｓ／Ｂｓｔａｔｕｓ情報を更新する機能を有する構成を例に説明を行うが、他の実施の形態にも下記の構成を適用してもよい。
【０３６９】
図４９は、本発明の実施の形態１３に係るソース機器１００Ｌの構成を示す図である。
【０３７０】
図４９に示すソース機器１００Ｌは、図２８に示すソース機器１００Ｅの構成に対して、コンテンツ制御部２０６Ｅの代わりにコンテンツ制御部２０６Ｌを備える。また、コンテンツ制御部２０６Ｌは、コンテンツ制御部２０６Ｅの構成に加え、さらに、Ｂｃａｐｓ／Ｂｓｔａｔｕｓ制御要求部２２８を備える。
【０３７１】
このＢｃａｐｓ／Ｂｓｔａｔｕｓ制御要求部２２８は、認証ＮＧの場合、リピータ機器１４０ＬへＢｃａｐｓ／Ｂｓｔａｔｕｓ制御要求２７５を送信する。このＢｃａｐｓ／Ｂｓｔａｔｕｓ制御要求２７５は、リピータ機器１４０Ｌに、当該リピータ機器１４０ＬのＢｃａｐｓ／Ｂｓｔａｔｕｓ情報を更新するように指示する要求である。
【０３７２】
また、Ｂｃａｐｓ／Ｂｓｔａｔｕｓ制御要求２７５をリピータ機器１４０Ｌへ送信する方法としては、上述した実施の形態２〜４における認証状態要求２５３を送信する方法を用いることができる。つまり、Ｂｃａｐｓ／Ｂｓｔａｔｕｓ制御要求部２２８は、ＤＤＣライン１６２、ＣＥＣライン１６３及びＰａｃｋｅｔ／Ｃｏｍｍａｎｄライン１６４のうちいずれかを用いて、Ｂｃａｐｓ／Ｂｓｔａｔｕｓ制御要求２７５をリピータ機器１４０Ｌへ送信する。また、ソース機器１００Ｌは、認証状態要求２５３を送信する場合と、コンテンツ送信停止要求２７１を送信する場合と、Ｂｃａｐｓ／Ｂｓｔａｔｕｓ制御要求２７５を送信する場合とで異なる方法を用いてもよい。
【０３７３】
図５０は、本発明の実施の形態１３に係るリピータ機器１４０Ｌの構成を示す図である。
【０３７４】
図５０に示すリピータ機器１４０Ｌは、図２９に示すリピータ機器１４０Ｅの構成に加え、さらに、Ｂｃａｐｓ／Ｂｓｔａｔｕｓ記憶部３３０を備える。また、コンテンツ制御部３１９Ｌの構成がコンテンツ制御部３１９Ｅの構成と異なる。具体的には、コンテンツ制御部３１９Ｌは、コンテンツ制御部３１９Ｅの構成に加え、さらに、Ｂｃａｐｓ／Ｂｓｔａｔｕｓ制御部３２９を備える。
【０３７５】
Ｂｃａｐｓ／Ｂｓｔａｔｕｓ制御部３２９は、Ｂｃａｐｓ／Ｂｓｔａｔｕｓ制御要求２７５を受信した場合、Ｂｃａｐｓ／Ｂｓｔａｔｕｓ記憶部３３０に記憶されているＢｃａｐｓ／Ｂｓｔａｔｕｓ情報を更新する。具体的には、Ｂｃａｐｓ／Ｂｓｔａｔｕｓ制御部３２９は、不正な機器（シンク機器１２０Ｌ）を外した接続状態を示すようにＢｃａｐｓ／Ｂｓｔａｔｕｓ情報を書き換える。例えば、Ｂｃａｐｓ／Ｂｓｔａｔｕｓ制御部３２９は、ＨＤＣＰ規格の機器接続情報であるＭＡＸ＿ＣＡＳＣＡＤＥ＿ＥＸＣＥＥＤＥＤ、ＤＥＶＩＣＥ＿ＣＯＵＮＴ及びリピータビッドなどを、不正機器以降（不正機器を含む）の接続機器を外した機器情報に書き換える。
【０３７６】
ここで、ＭＡＸ＿ＣＡＳＣＡＤＥ＿ＥＸＣＥＥＤＥＤは、トポロジーエラー状態を示す。また、ＤＥＶＩＣＥ＿ＣＯＵＮＴは、接続されているデバイス（機器）の台数を示す。また、リピータビッドは、当該機器がリピータ機器であるか否かを示す。言い換えると、リピータビッドは、当該機器のシンク機器側に、他の機器が接続されているか否かを示す。
【０３７７】
また、シンク機器１２０Ｌの構成は、例えば、図８に示すシンク機器１２０と同様である。
【０３７８】
次に、本発明の実施の形態１３に係るコンテンツ送信システム５３の動作を説明する。
【０３７９】
図５１は、本発明の実施の形態１３に係るコンテンツ制御処理のシーケンス図である。
【０３８０】
図５１に示すように、認証ＮＧの場合、ソース機器１００Ｌは、リピータ機器１４０Ｌへコンテンツ送信停止要求２７１を送信する（Ｓ１４０）。
【０３８１】
コンテンツ送信停止要求２７１を受信したリピータ機器１４０Ｌは、シンク機器１２０への暗号化コンテンツ情報３５３の送信を停止する（Ｓ１４１）。
【０３８２】
さらに、認証ＮＧの場合、ソース機器１００Ｌは、リピータ機器１４０ＬへＢｃａｐｓ／Ｂｓｔａｔｕｓ制御要求２７５を送信する（Ｓ１８１）。
【０３８３】
Ｂｃａｐｓ／Ｂｓｔａｔｕｓ制御要求２７５を受信したリピータ機器１４０Ｌは、Ｂｃａｐｓ／Ｂｓｔａｔｕｓ情報を更新する（Ｓ１８２）。
【０３８４】
これにより、ソース機器１００Ｌからリピータ機器１４１Ｌ及びリピータ機器１４０Ｌへコンテンツ情報が送信される（Ｓ１８３）が、リピータ機器１４０Ｌからシンク機器１２０へはコンテンツ情報は送信されない。
【０３８５】
さらに、リピータ機器１４０ＬがＢｃａｐｓ／Ｂｓｔａｔｕｓ情報を更新することにより、リピータ機器１４０Ｌよりソース機器１００Ｌ側に接続された機器（リピータ機器１４１Ｌ）は、不正な機器（シンク機器１２０Ｌ）の存在を考慮することなく動作することができる。つまり、リピータ機器１４１Ｌにおいて、シンク機器１２０Ｌに対する対策を行う必要がない。
【０３８６】
（実施の形態１４）
本発明の実施の形態１４に係るコンテンツ送信装置は、認証ＮＧの場合、コンテンツ受信装置がコンテンツ情報を復号できないように暗号化する。
【０３８７】
なお、実施の形態１４では、図５に示すコンテンツ送信システム５１を例に説明する。
【０３８８】
図５２は、本発明の実施の形態１４に係るソース機器１００Ｍの構成を示す図である。
【０３８９】
図５２に示すソース機器１００Ｍは、図６に示すソース機器１００の構成に対して、コンテンツ制御部２０６の代わりにコンテンツ制御部２０６Ｍを備える。
【０３９０】
コンテンツ制御部２０６Ｍは、ＫＳＶリスト取得部２２９と、暗号化制御部２３０とを備える。
【０３９１】
ＫＳＶリスト取得部２２９は、リピータ機器１４０及びシンク機器１２０のＫＳＶリストを取得する。ここで、ＫＳＶリストとは、各機器が固有に所持しているリストである。
【０３９２】
暗号化制御部２３０は、各機器から取得したＫＳＶリストを用いて、各機器が復号可能なように、暗号化部２０２にコンテンツ情報２５１を暗号化させる。また、暗号化制御部２３０は、認証ＮＧの場合、各機器から取得したＫＳＶリストを用いて、認証ＮＧの機器には復号ができず、かつ認証ＯＫの機器のみが復号できるように、暗号化部２０２にコンテンツ情報２５１を暗号化させる。
【０３９３】
次に、本発明の実施の形態１４に係るコンテンツ送信システム５１の動作を説明する。
【０３９４】
図５３は、本発明の実施の形態１４に係るコンテンツ制御処理のシーケンス図である。
【０３９５】
図５３に示すように、ソース機器１００Ｍは、リピータ機器１４０から当該リピータ機器１４０のＫＳＶリストを取得する（Ｓ１８５）とともに、シンク機器１２０から当該シンク機器１２０のＫＳＶリストを取得する（Ｓ１８６）。なお、図５３に示すＫＳＶリスト取得するタイミングは一例であり、暗号化（Ｓ１８７）前であれば、別のタイミングであってもよい。
【０３９６】
次に、ソース機器１００Ｍは、認証ＮＧの場合、リピータ機器１４０及びシンク機器１２０のＫＳＶリストを用いて、シンク機器１２０には復号ができず、かつリピータ機器１４０には復号できるようにコンテンツ情報２５１を暗号化する（Ｓ１８７）。
【０３９７】
次に、ソース機器１００Ｍは暗号化した暗号化コンテンツ情報２５２をリピータ機器１４０及びシンク機器１２０へ送信する（Ｓ１８８）。
【０３９８】
以上より、本発明の実施の形態１４に係るコンテンツ送信装置は、認証ＮＧの場合には、コンテンツ受信装置で暗号化コンテンツ情報を復号できないように暗号化する。これにより、コンテンツ受信装置がコンテンツ情報を取得できないようにできる。
【０３９９】
また、本発明の実施の形態１４に係るコンテンツ送信装置では、機器認証が成功した機器がコンテンツ情報を取得できるという利点がある。
【０４００】
（実施の形態１５）
本発明の実施の形態１５に係るコンテンツ送信装置は、認証ＮＧの場合、ＳＲＭリストを更新するように中継機器に要求する。
【０４０１】
図５４は、本発明の実施の形態１５に係るソース機器１００Ｎの構成を示す図である。
【０４０２】
図５４に示すソース機器１００Ｎは、図６に示すソース機器１００の構成に対して、コンテンツ制御部２０６の代わりにコンテンツ制御部２０６Ｎを備える。
【０４０３】
コンテンツ制御部２０６Ｎは、ＳＲＭリスト更新要求部２３１を備える。
【０４０４】
このＳＲＭリスト更新要求部２３１は、認証ＮＧの場合、リピータ機器１４０ＮへＳＲＭリスト更新要求２７６を送信する。このＳＲＭリスト更新要求２７６は、リピータ機器１４０Ｎに、当該リピータ機器１４０Ｎが有するＳＲＭリストに認証ＮＧの機器を追加するように指示する要求である。
【０４０５】
また、ＳＲＭリスト更新要求２７６をリピータ機器１４０Ｎへ送信する方法としては、上述した実施の形態２〜４における認証状態要求２５３を送信する方法を用いることができる。つまり、ＳＲＭリスト更新要求部２３１は、ＤＤＣライン１６２、ＣＥＣライン１６３及びＰａｃｋｅｔ／Ｃｏｍｍａｎｄライン１６４のうちいずれかを用いて、ＳＲＭリスト更新要求２７６をリピータ機器１４０Ｎへ送信する。また、ソース機器１００Ｎは、認証状態要求２５３を送信する場合と、ＳＲＭリスト更新要求２７６を送信する場合とで、異なる方法を用いてもよい。
【０４０６】
図５５は、本発明の実施の形態１５に係るリピータ機器１４０Ｎの構成を示す図である。
【０４０７】
図５５に示すリピータ機器１４０Ｎは、図７に示すリピータ機器１４０の構成に加え、さらに、コンテンツ制御部３１９Ｎと、ＳＲＭリスト記憶部３３２と、送信制御部３３３とを備える。
【０４０８】
ＳＲＭリスト記憶部３３２は、ＳＲＭリスト３３４を記憶する。このＳＲＭリスト３３４は、不正な機器の一覧を示すリストである。
【０４０９】
送信制御部３３３は、ＳＲＭリスト３３４に含まれる不正な機器へ対しては暗号化コンテンツ情報３５３を送信しないようにコンテンツ送信部３０６を制御する。
【０４１０】
コンテンツ制御部３１９Ｎは、ＳＲＭリスト更新部３３１を備える。
【０４１１】
ＳＲＭリスト更新部３３１は、ＳＲＭリスト更新要求２７６を受信した場合、ＳＲＭリスト更新要求２７６で示される不正機器をＳＲＭリスト３３４に追加する。
【０４１２】
次に、本発明の実施の形態１５に係るコンテンツ送信システム５１の動作を説明する。
【０４１３】
図５６は、本発明の実施の形態１５に係るコンテンツ制御処理のシーケンス図である。
【０４１４】
図５６に示すように、認証ＮＧの場合、ソース機器１００Ｎは、リピータ機器１４０ＮへＳＲＭリスト更新要求２７６を送信する（Ｓ１９０）。
【０４１５】
ＳＲＭリスト更新要求２７６を受信したリピータ機器１４０Ｎは、ＳＲＭリスト更新要求２７６で示される不正機器をＳＲＭリスト３３４に追加する（Ｓ１９１）。
【０４１６】
これにより、ソース機器１００Ｎからリピータ機器１４０Ｎへコンテンツ情報が送信される（Ｓ１９２）が、リピータ機器１４０Ｎからシンク機器１２０へはコンテンツ情報が送信されない。
【０４１７】
以上より、本発明の実施の形態１５に係るコンテンツ送信装置は、認証ＮＧの場合には、ＳＲＭリストを更新するように中継機器に要求する。これにより、中継機器は、ＳＲＭリストに認証ＮＧのコンテンツ受信装置を加える。このように、本発明の実施の形態１５に係るコンテンツ送信システムは、コンテンツ受信装置へコンテンツ情報が送信されないようにできる。
【０４１８】
また、本発明の実施の形態１５に係るコンテンツ送信装置では、機器認証が成功した機器へコンテンツ情報を送信できるという利点がある。
【０４１９】
なお、コンテンツ送信装置と認証ＮＧの機器（コンテンツ受信装置）との間に複数の中継機器が接続される場合には、認証ＮＧの機器に対して、コンテンツ送信装置側の直前の中継機器へＳＲＭリスト更新要求２７６を送信したほうが好ましい。これにより、より多くの認証が成功した機器へコンテンツ情報を送信できる。
【０４２０】
（実施の形態１６）
本発明の実施の形態１６に係るコンテンツ送信装置は、認証ＮＧの場合、コンテンツ受信装置の電源をオフする。
【０４２１】
図５７は、本発明の実施の形態１６に係るソース機器１００Ｐの構成を示す図である。
【０４２２】
図５７に示すソース機器１００Ｐは、図６に示すソース機器１００の構成に対して、コンテンツ制御部２０６の代わりにコンテンツ制御部２０６Ｐを備える。
【０４２３】
コンテンツ制御部２０６Ｐは、電源オフ要求部２３２を備える。
【０４２４】
この電源オフ要求部２３２は、認証ＮＧの場合、シンク機器１２０Ｐへ電源オフ要求２７７を送信する。この電源オフ要求２７７は、シンク機器１２０Ｐに、当該シンク機器１２０Ｐの電源をオフするように指示する要求である。
【０４２５】
また、電源オフ要求２７７をシンク機器１２０Ｐへ送信する方法としては、上述した実施の形態２〜４における認証状態要求２５３を送信する方法を用いることができる。つまり、電源オフ要求部２３２は、ＤＤＣライン１６２、ＣＥＣライン１６３及びＰａｃｋｅｔ／Ｃｏｍｍａｎｄライン１６４のうちいずれかを用いて、電源オフ要求２７７をシンク機器１２０Ｐへ送信する。また、ソース機器１００Ｐは、認証状態要求２５３を送信する場合と、電源オフ要求２７７を送信する場合とで、異なる方法を用いてもよい。
【０４２６】
図５８は、本発明の実施の形態１６に係るシンク機器１２０Ｐの構成を示す図である。
【０４２７】
図５８に示すシンク機器１２０Ｐは、図８に示すシンク機器１２０の構成に加え、さらに、電源オフ部４２９を備える。
【０４２８】
電源オフ部４２９は、電源オフ要求２７７を受信した場合、当該シンク機器１２０Ｐの電源をオフする。
【０４２９】
次に、本発明の実施の形態１６に係るコンテンツ送信システム５１の動作を説明する。
【０４３０】
図５９は、本発明の実施の形態１６に係るコンテンツ制御処理のシーケンス図である。
【０４３１】
図５９に示すように、認証ＮＧの場合、ソース機器１００Ｐは、シンク機器１２０Ｐへ電源オフ要求２７７を送信する（Ｓ１９５）。
【０４３２】
電源オフ要求２７７を受信したシンク機器１２０Ｐは、当該シンク機器１２０Ｐの電源をオフする（Ｓ１９６）。
【０４３３】
これにより、ソース機器１００Ｐからリピータ機器１４０へコンテンツ情報が送信される（Ｓ１９７）が、リピータ機器１４０からシンク機器１２０Ｐへはコンテンツ情報が送信されない。
【０４３４】
以上より、本発明の実施の形態１６に係るコンテンツ送信装置は、認証ＮＧの場合には、コンテンツ受信装置の電源をオフすることにより、コンテンツ受信装置へコンテンツ情報が送信されないようにできる。
【０４３５】
また、本発明の実施の形態１６に係るコンテンツ送信装置では、機器認証が成功した機器へコンテンツ情報を送信できるという利点がある。
【０４３６】
以上、本発明の実施の形態に係るコンテンツ送信システムについて説明したが、本発明は、この実施の形態に限定されるものではない。
【０４３７】
例えば、上記説明では、ソース機器、リピータ機器及びシンク機器の各々が、コンテンツ送信装置、中継機器及びコンテンツ受信装置のいずれかの機能のみを有する例を述べたが、ソース機器、リピータ機器及びシンク機器の各々が、コンテンツ送信装置、中継機器及びコンテンツ受信装置のうちの２以上の機能を有してもよい。
【０４３８】
また、上記実施の形態に係るコンテンツ送信装置、中継機器及びコンテンツ受信装置に含まれる各処理部は典型的には集積回路であるＬＳＩとして実現される。これらは個別に１チップ化されてもよいし、一部又はすべてを含むように１チップ化されてもよい。
【０４３９】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０４４０】
さらには、半導体技術の進歩又は派生する別技術によりＬＳＩに置き換わる集積回路化の技術が登場すれば、当然、その技術を用いて各処理部の集積化を行ってもよい。
【０４４１】
また、本発明の実施の形態に係るコンテンツ送信装置、中継機器及びコンテンツ受信装置の機能の一部又は全てを、ＣＰＵ等のプロセッサがプログラムを実行することにより実現してもよい。
【０４４２】
さらに、本発明は上記プログラムであってもよいし、上記プログラムが記録された記録媒体であってもよい。また、上記プログラムは、インターネット等の伝送媒体を介して流通させることができるのは言うまでもない。
【０４４３】
また、上記実施の形態に係るコンテンツ送信装置、中継機器、コンテンツ受信装置、及びその変形例の機能のうち少なくとも一部を組み合わせてもよい。
【０４４４】
更に、本発明の主旨を逸脱しない限り、本実施の形態に対して当業者が思いつく範囲内の変更を施した各種変形例も本発明に含まれる。
【産業上の利用可能性】
【０４４５】
本発明は、ＨＤＣＰを必要とするコンテンツ情報を扱う機器に適用でき、ＡＶアンプ、テレビ、ＰＣ、カーナビゲーションシステム、プロジェクタ、ゲーム機器、ＢＤプレーヤ、ＢＤレコーダ、ＤＶＤプレーヤ、ＤＶＤレコーダ及びＳＴＢ（Ｓｅｔ  Ｔｏｐ  Ｂｏｘ）等のＡＶ機器に適用できる。
【符号の説明】
【０４４６】
５０、５１、５２、５３  コンテンツ送信システム
１００、１００Ａ、１００Ｂ、１００Ｃ、１００Ｄ、１００Ｅ、１００Ｆ、１００Ｇ、１００Ｈ、１００Ｉ、１００Ｋ、１００Ｌ、１００Ｍ、１００Ｎ、１００Ｐ  ソース機器
１０１  ＨＤＭＩ送信回路
１０２、１２２、１４２  ＣＰＵ
１０３、２０１  再生部
１０４、１２４  コンテンツ情報Ｉ／Ｆ
１０５  ＴＭＤＳ送信部
１０６、１２６  ＡＲＣＩ／Ｆ
１０７、１２７  ＣＰＵＩ／Ｆ
１０８、１２８  ＨＤＣＰ制御部
１０９、１２９  ＤＤＣ制御部
１１０、１３０  ＤＤＣＩ／Ｆ
１１１、１３１  ＣＥＣ制御部
１１２、１３２  ＣＥＣＩ／Ｆ
１１３、１３３  Ｐａｃｋｅｔ／Ｃｏｍｍａｎｄ制御部
１１４、１３４  Ｐａｃｋｅｔ／ＣｏｍｍａｎｄＩ／Ｆ
１２０、１２０Ａ、１２０Ｂ、１２０Ｃ、１２０Ｊ、１２０Ｋ、１２０Ｌ、１２０Ｐ  シンク機器
１２１  ＨＤＭＩ受信回路
１２３  表示回路
１２５  ＴＭＤＳ受信部
１４０、１４０Ａ、１４０Ｂ、１４０Ｃ、１４０Ｅ、１４０Ｇ、１４０Ｉ、１４０Ｊ、１４０Ｌ、１４０Ｎ、１４１Ｊ、１４１Ｌ  リピータ機器
１４３、３０３  出音部
１６０、１６０Ａ、１６０Ｂ、１６０Ｃ、１６０Ｄ、１６０Ｅ  ＨＤＭＩケーブル
１６１  ＴＭＤＳライン
１６２  ＤＤＣライン
１６３  ＣＥＣライン
１６４  Ｐａｃｋｅｔ／Ｃｏｍｍａｎｄライン
１６５  ＨｏｔＰｌｕｇライン
２０２、３０５  暗号化部
２０３、３０６  コンテンツ送信部
２０４、３０４、３０７、４０４  認証部
２０５、２０５Ａ、２０５Ｂ、２０５Ｃ  認証状態取得部
２０６、２０６Ｄ、２０６Ｅ、２０６Ｆ、２０６Ｇ、２０６Ｈ、２０６Ｉ、２０６Ｋ、２０６Ｌ、２０６Ｍ、２０６Ｎ、２０６Ｐ、３１９Ｅ、３１９Ｇ、３１９Ｉ、３１９Ｌ、３１９Ｎ、３１９Ｊ、４１９Ｊ、４１９Ｋ  コンテンツ制御部
２０７、３０８、３０９、４０８  ＤＤＣ通信部
２０８、３１０、３１１、４０９  ＣＥＣ通信部
２０９、３１２、３１３、４１０  Ｐａｃｋｅｔ／Ｃｏｍｍａｎｄ通信部
２１０  ＤＤＣ認証状態要求生成部
２１１  ＤＤＣ認証状態解析部
２１２  ＣＥＣ認証状態要求生成部
２１３  ＣＥＣ認証状態解析部
２１４  Ｐａｃｋｅｔ／Ｃｏｍｍａｎｄ認証状態要求生成部
２１５  Ｐａｃｋｅｔ／Ｃｏｍｍａｎｄ認証状態解析部
２２０、３２０  コンテンツ送信停止部
２２１  コンテンツ送信停止要求部
２２２、３２２  コンテンツ切替部
２２３  コンテンツ切替要求部
２２４、３２４、４２４  ＨｏｔＰｌｕｇ制御部
２２５、３２５、４２５  ＨｏｔＰｌｕｇ切断部
２２６  ＨｏｔＰｌｕｇ切断要求部
２２７  ＥＤＩＤ更新要求部
２２８  Ｂｃａｐｓ／Ｂｓｔａｔｕｓ制御要求部
２２９  ＫＳＶリスト取得部
２３０  暗号化制御部
２３１  ＳＲＭリスト更新要求部
２３２  電源オフ要求部
２５１、３５２、４５２  コンテンツ情報
２５２、３５３  暗号化コンテンツ情報
２５３  認証状態要求
２５４、４０７  認証状態
２６１、２６４  コマンド識別子
２６２、２６６  送信先情報
２６３、２６７  送信元情報
２６５  認証状態情報
２７１  コンテンツ送信停止要求
２７２  コンテンツ切替要求
２７３  ＨｏｔＰｌｕｇ切断要求
２７４  ＥＤＩＤ更新要求
２７５  Ｂｃａｐｓ／Ｂｓｔａｔｕｓ制御要求
２７６  ＳＲＭリスト更新要求
２７７  電源オフ要求
３０１、４０１  コンテンツ受信部
３０２、４０２  復号部
３１４  ＤＤＣ中継部
３１５  Ｐａｃｋｅｔ／Ｃｏｍｍａｎｄ中継部
３２７  ＥＤＩＤ受信部
３２８  ＥＤＩＤ解析部
３２９  Ｂｃａｐｓ／Ｂｓｔａｔｕｓ制御部
３３０  Ｂｃａｐｓ／Ｂｓｔａｔｕｓ記憶部
３３１  ＳＲＭリスト更新部
３３２  ＳＲＭリスト記憶部
３３３  送信制御部
３３４  ＳＲＭリスト
４０３  表示部
４０５  認証状態記憶部
４０６、４０６Ａ、４０６Ｂ、４０６Ｃ  認証状態送信部
４１１  ＤＤＣ認証状態要求解析部
４１２  ＤＤＣ認証状態送信部
４１３  ＣＥＣ認証状態要求解析部
４１４  ＣＥＣ認証状態送信部
４１５  Ｐａｃｋｅｔ／Ｃｏｍｍａｎｄ認証状態要求解析部
４１６  Ｐａｃｋｅｔ／Ｃｏｍｍａｎｄ認証状態送信部
４２０  ＥＤＩＤ記憶部
４２１  ＥＤＩＤ送信部
４２３  ＥＤＩＤ更新部
４２６  ＥＤＩＤ情報
４２７  不正機器情報
４２８  ＥＤＩＤ更新要求解析部
４２９  電源オフ部
【図１】
2011193150.tif 000003
【図２】
2011193150.tif 000004
【図３】
2011193150.tif 000005
【図４】
2011193150.tif 000006
【図５】
2011193150.tif 000007
【図６】
2011193150.tif 000008
【図７】
2011193150.tif 000009
【図８】
2011193150.tif 000010
【図９】
2011193150.tif 000011
【図１０】
2011193150.tif 000012
【図１１】
2011193150.tif 000013
【図１２】
2011193150.tif 000014
【図１３】
2011193150.tif 000015
【図１４】
2011193150.tif 000016
【図１５】
2011193150.tif 000017
【図１６】
2011193150.tif 000018
【図１７Ａ】
2011193150.tif 000019
【図１７Ｂ】
2011193150.tif 000020
【図１８】
2011193150.tif 000021
【図１９】
2011193150.tif 000022
【図２０】
2011193150.tif 000023
【図２１】
2011193150.tif 000024
【図２２】
2011193150.tif 000025
【図２３】
2011193150.tif 000026
【図２４】
2011193150.tif 000027
【図２５】
2011193150.tif 000028
【図２６】
2011193150.tif 000029
【図２７】
2011193150.tif 000030
【図２８】
2011193150.tif 000031
【図２９】
2011193150.tif 000032
【図３０】
2011193150.tif 000033
【図３１】
2011193150.tif 000034
【図３２】
2011193150.tif 000035
【図３３】
2011193150.tif 000036
【図３４】
2011193150.tif 000037
【図３５】
2011193150.tif 000038
【図３６】
2011193150.tif 000039
【図３７】
2011193150.tif 000040
【図３８】
2011193150.tif 000041
【図３９】
2011193150.tif 000042
【図４０】
2011193150.tif 000043
【図４１】
2011193150.tif 000044
【図４２】
2011193150.tif 000045
【図４３】
2011193150.tif 000046
【図４４】
2011193150.tif 000047
【図４５】
2011193150.tif 000048
【図４６】
2011193150.tif 000049
【図４７】
2011193150.tif 000050
【図４８】
2011193150.tif 000051
【図４９】
2011193150.tif 000052
【図５０】
2011193150.tif 000053
【図５１】
2011193150.tif 000054
【図５２】
2011193150.tif 000055
【図５３】
2011193150.tif 000056
【図５４】
2011193150.tif 000057
【図５５】
2011193150.tif 000058
【図５６】
2011193150.tif 000059
【図５７】
2011193150.tif 000060
【図５８】
2011193150.tif 000061
【図５９】
2011193150.tif 000062